(57)【要約】【課題】ＤＶＤ等の光ディスクを、例えばＭＰＥＧ１やＭＰＥＧ２等の既存の圧縮符号化方式用の情報再生装置でも、ＭＰＥＧ４等のより高効率の圧縮符号化方式用の情報再生装置でも、再生可能とする。【解決手段】情報記録媒体（１００）には、第１圧縮符号化方式により圧縮符号化されていると共にタイトルを夫々構成するための一又は複数の第１実体情報（ＶＴＳ）と、これを管理制御するための第１管理情報（ＶＭＧ）と、第２圧縮符号化方式により圧縮符号化されていると共にタイトルを夫々構成するための一又は複数の第２実体情報（ＶＴＳ２）と、第１及び第２実体情報を管理制御するための第２管理情報（ＶＭＧ２）とが記録されている。【選択図】  図２
2004187051.tif 000002
【特許請求の範囲】
【請求項１】
第１圧縮符号化方式により圧縮符号化されていると共に少なくとも映像を含むコンテンツの論理的なまとまりであるタイトルを夫々構成するための一又は複数の第１実体情報と、
該第１実体情報を管理制御するための第１管理情報と、
前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、
前記第１及び前記第２実体情報を管理制御するための第２管理情報と
が記録されていることを特徴とする情報記録媒体。
【請求項２】
前記第２管理情報は、
各タイトルに対して固有に付与された、前記第１又は第２実体情報の識別番号を示す番号情報と、
前記番号情報が前記第１実体情報の識別番号を示すのか又は前記第２実体情報の識別番号を示すのかを識別するための識別情報と
をタイトル別に含むことを特徴とする請求項１に記載の情報記録媒体。
【請求項３】
前記第２管理情報は、
前記第１実体情報の各々について、その圧縮符号化方式を示す属性情報と、
前記第２実体情報の各々について、その圧縮符号化方式を示す属性情報と
を含むことを特徴とする請求項１又は２に記載の情報記録媒体。
【請求項４】
前記第２管理情報は、
前記第１実体情報の総数を示す総数情報と、
前記第２実体情報の総数を示す総数情報と
を含むことを特徴とする請求項１から３のいずれか一項に記載の情報記録媒体。
【請求項５】
前記第２管理情報は、
前記第１及び第２実体情報のうち少なくとも前記第２実体情報についてのユーザ選択用のメニューを示すと共に前記第１又は第２圧縮符号化方式により圧縮符号化された少なくとも映像情報を含んでなる第１メニュー情報と、
該第１メニュー情報を圧縮符号化した第１又は第２圧縮符号化方式を示す属性情報と
を含むことを特徴とする請求項１から４のいずれか一項に記載の情報記録媒体。
【請求項６】
前記第２実体情報は、
前記第１及び第２実体情報のうち少なくとも前記第２実体情報についてのユーザ選択用のメニューを示すと共に前記第１又は第２圧縮符号化方式により圧縮符号化された少なくとも映像情報を含んでなる第２メニュー情報と、
該第２メニュー情報を圧縮符号化した第１又は第２圧縮符号化方式を示す属性情報と
を含むことを特徴とする請求項１から５のいずれか一項に記載の情報記録媒体。
【請求項７】
前記第１管理情報は、
前記第１実体情報についてのユーザ選択用のメニューを示すと共に前記第１圧縮符号化方式により圧縮符号化された少なくとも映像情報を含んでなる第３メニュー情報と、
該第３メニュー情報を圧縮符号化した前記第１圧縮符号化方式を示す属性情報と
を含むことを特徴とする請求項１から６のいずれか一項に記載の情報記録媒体。
【請求項８】
前記第１実体情報は、
前記第１実体情報についてのユーザ選択用のメニューを示すと共に前記第１圧縮符号化方式により圧縮符号化された少なくとも映像情報を含んでなる第４メニュー情報と、
該第４メニュー情報を圧縮符号化した前記第１圧縮符号化方式を示す属性情報と
を含むことを特徴とする請求項１から７のいずれか一項に記載の情報記録媒体。
【請求項９】
前記第２管理情報は、前記第１管理情報を指定することにより該指定された第１管理情報を経由して前記第１実体情報を管理制御することを特徴とする請求項１から８のいずれか一項に記載の情報記録媒体。
【請求項１０】
所定の圧縮符号化方式により圧縮符号化されていると共に少なくとも映像を含むコンテンツの論理的なまとまりであるタイトルを夫々構成するための一又は複数の実体情報と、
前記実体情報を管理制御するための管理情報と
が記録されており、
前記管理情報は、
各タイトルに対して固有に付与された、前記実体情報の識別番号を示す番号情報と、
前記実体情報の総数を示す総数情報と、
前記圧縮符号化方式と異なる他の圧縮符号化方式により圧縮符号化されている他の実体情報が記録されていないことを示す情報と
を含むことを特徴とする情報記録媒体。
【請求項１１】
前記管理情報は、
前記実体情報についてのユーザ選択用のメニューを示すと共に前記圧縮符号化方式又はこれと異なる他の圧縮符号化方式により圧縮符号化された少なくとも映像情報を含んでなるメニュー情報と、
該メニュー情報を圧縮符号化した圧縮符号化方式を示す属性情報と
を含むことを特徴とする請求項１０に記載の情報記録媒体。
【請求項１２】
前記実体情報は、
前記実体情報についてのユーザ選択用のメニューを示すと共に前記圧縮符号化方式又はこれと異なる他の圧縮符号化方式により圧縮符号化された少なくとも映像情報を含んでなるメニュー情報と、
該メニュー情報を圧縮符号化した圧縮符号化方式を示す属性情報と
を含むことを特徴とする請求項１０に記載の情報記録媒体。
【請求項１３】
請求項１から９のいずれか一項に記載の情報記録媒体を再生する情報再生装置であって、
前記情報記録媒体から情報を読取る読取手段と、
該読取られた情報に基づいて、前記第２管理情報が前記情報記録媒体に記録されているか否かを判定する判定手段と、
該判定手段により前記第２管理情報が記録されていると判定された場合には、前記第２管理情報に従って、前記第１又は第２実体情報を再生出力し、前記判定手段により前記第２管理情報が記録されていないと判定された場合には、前記第１管理情報に従って、前記第１実体情報を再生出力する再生出力手段と
を備えたことを特徴とする情報再生装置。
【請求項１４】
請求項２に記載の情報記録媒体を再生する情報再生装置であって、
前記情報記録媒体に記録されたタイトルのうち再生すべきタイトルを選択する選択手段と、
前記情報記録媒体から情報を読取る読取手段と、
該読取られた情報に基づいて、前記第２管理情報が前記情報記録媒体に記録されているか否かを判定する判定手段と、
該判定手段により前記第２管理情報が記録されていると判定された場合には、前記第２管理情報中の前記番号情報に従って、前記選択されたタイトルに対応する前記第１又は第２実体情報の識別番号を識別する第１識別手段と、
該認識された識別番号が、前記第１実体情報の識別番号であるか又は前記第２実体情報の識別番号であるかを、前記第２管理情報中の前記識別情報に基づいて識別する第２識別手段と、
前記第１及び第２識別手段による識別結果に基づいて、前記選択されたタイトルに対応する前記第１又は第２実体情報を、再生出力する再生出力手段と
を備えたことを特徴とする情報再生装置。
【請求項１５】
前記再生出力手段は、
前記第１圧縮符号化方式に対応する第１デコーダ及び前記第２圧縮符号化方式に対応する第２デコーダを含むデコーダ手段を含むことを特徴とする請求項１３又は１４に記載の情報再生装置。
【請求項１６】
請求項１から９のいずれか一項に記載の情報記録媒体を再生する情報再生方法であって、
前記情報記録媒体から情報を読取る読取手段により読取られた情報に基づいて、前記第２管理情報が前記情報記録媒体に記録されているか否かを判定する判定工程と、
該判定工程により前記第２管理情報が記録されていると判定された場合には、前記第２管理情報に従って、前記第１又は第２実体情報を再生出力し、前記判定工程により前記第２管理情報が記録されていないと判定された場合には、前記第１管理情報に従って、前記第１実体情報を再生出力する再生出力工程と
を備えたことを特徴とする情報再生方法。
【請求項１７】
請求項２に記載の情報記録媒体を再生する情報再生方法であって、
前記情報記録媒体から情報を読取る読取手段により読取られた情報に基づいて、前記第２管理情報が前記情報記録媒体に記録されているか否かを判定する判定工程と、
該判定工程により前記第２管理情報が記録されていると判定された場合には、前記第２管理情報中の前記番号情報に従って、前記情報記録媒体に記録されたタイトルのうち再生すべきものとして選択されたタイトルに対応する前記第１又は第２実体情報の識別番号を識別する第１識別工程と、
該認識された識別番号が、前記第１実体情報の識別番号であるか又は前記第２実体情報の識別番号であるかを、前記第２管理情報中の前記識別情報に基づいて識別する第２識別工程と、
前記第１及び第２識別工程による識別結果に基づいて、前記選択されたタイトルに対応する前記第１又は第２実体情報を、再生出力する再生出力工程と
を備えたことを特徴とする情報再生方法。
【請求項１８】
コンピュータを請求項１３から１５のいずれか一項に記載の情報再生装置として機能させることを特徴とするコンピュータプログラム。
【発明の詳細な説明】
【０００１】
【発明の属する技術分野】
本発明は、例えばＤＶＤ等の情報記録媒体、例えばＤＶＤプレーヤ等の情報再生装置及び方法、並びにコンピュータをこのような情報再生装置として機能させるコンピュータプログラムの技術分野に属する。
【０００２】
【従来の技術】
従来、ＤＶＤ−Ｖｉｄｅｏ（ＤＶＤビデオ）規格に準拠した光ディスクである“ＤＶＤビデオディスク”では、圧縮符号化方式の一例であるＭＰＥＧ（ＭｏｖｉｎｇＰｉｃｔｕｒｅ  Ｅｘｐｅｒｔ  Ｇｒｏｕｐ）１又はＭＰＥＧ２により圧縮符号化されたビデオ情報を記録している。ＤＶＤビデオディスクによれば、映画一本程度のコンテンツ情報を、１枚のディスク上に記録可能な程度にまで、記録データの圧縮符号化及び高密度記録化が進められてきている。この種のＤＶＤでは、映像情報については、ＳＤ（スタンダードデフィニション）規格で記録されているのが通常である。
【０００３】
他方、ＤＶＤ−Ａｕｄｉｏ（ＤＶＤオーディオ）規格に準拠したディスクである“ＤＶＤオーディオディスク”も商品化されており、これと前述の“ＤＶＤビデオディスク”との両者を再生可能なＤＶＤコンパチブルプレーヤも開発されている。
【０００４】
例えば、オーディオＤＶＤ対応プレーヤでも、オーディオ情報のみを再生可能とする技術が、特許文献１及び２に開示されている。また例えば、ビデオゾーンとオーディオゾーンとを有するＤＶＤに記録された映像情報や音声情報をコンパチブルプレーヤにより効率的に再生する技術が、特許文献３及び４に開示されている。
【０００５】
【特許文献１】
特開平１１−１６４２４３号公報
【特許文献２】
特開２０００−２８５６４８号公報
【特許文献３】
特開平１１−２６５５６３号公報
【特許文献４】
特開２０００−２９３９５０号公報
【０００６】
【発明が解決しようとする課題】
この種の情報記録媒体においても、例えば、ＳＤ規格のコンテンツ情報から更に進んで、既に実用化されているＨＤ（ハイデフィニション）規格のコンテンツ情報、即ち、所謂“ハイビジョン”のコンテンツ情報を記録したいという一般的要請がある。
【０００７】
しかしながら、このような要請に応えるべく、青色レーザ用であり且つより高密度記録可能なＤＶＤを開発し、更にこれを再生可能な青色レーザを用いたＤＶＤプレーヤを開発することが先ず考えられるが、これらを実用化するためには、現状では、技術的或いは経済的な問題点が多い。
【０００８】
他方で、このような要請に応えるべく、例えばＭＰＥＧ４  ｐａｒｔ  １０  ｃｏｄｉｎｇ（以下適宜、単にＭＰＥＧ４と称する）といった、現在採用されているＭＰＥＧ１又はＭＰＥＧ２と比較して、より高効率の圧縮符号化方式を採用することで、現在の赤色レーザ用のＤＶＤに、例えばハイビジョンのコンテンツ情報を記録し、これを、赤色レーザを用いたＤＶＤプレーヤで再生することも考えられる。
【０００９】
しかしながら、仮に、例えばＭＰＥＧ４といった高効率で圧縮符号化を行うことにより、２時間程度のハイビジョンのコンテンツ情報を一枚のＤＶＤ上に記録すること自体が可能であったとしても、次のような問題が生じる。即ち、既に全世界的に普及しているＤＶＤプレーヤによっては、このようなＭＰＥＧ４といった高効率で圧縮符号化されたコンテンツ情報を再生できないという問題点がある。より具体的には、例えばＭＰＥＧ４用のデコーダが備えられていない従来のＤＶＤプレーヤによっては、仮にハイビジョンのコンテンツ情報が記録されたＤＶＤがあったとしても、これを再生できないという技術的問題点がある。逆に、既に普及しているＤＶＤプレーヤで再生可能なＤＶＤの販売と並行して、既に普及しているＤＶＤプレーヤで再生できないようなＤＶＤを販売したのでは、無駄が多く、市場に混乱を招くと共に商業的な成功は殆ど見込めない。
【００１０】
本発明は、例えば上述した従来の問題点に鑑みなされたものであり、例えばＭＰＥＧ１やＭＰＥＧ２といった従来の圧縮符号化方式用の情報再生装置であっても再生可能であり、しかも例えばＭＰＥＧ４といった、より進んだ高効率の圧縮符号化方式用の情報再生装置であっても再生可能である情報記録媒体、このような情報記録媒体の再生を可能ならしめる情報再生装置及び方法、並びにコンピュータをこのような情報再生装置として機能させるコンピュータプログラムを提供することを課題とする。
【００１１】
【課題を解決するための手段】
本発明の請求項１記載の情報記録媒体は上記課題を解決するために、第１圧縮符号化方式（例えばＭＰＥＧ２又はＭＰＥＧ１）により圧縮符号化されていると共に少なくとも映像を含むコンテンツの論理的なまとまりであるタイトルを夫々構成するための一又は複数の第１実体情報（例えば、後述のＶＴＳ＃１、ＶＴＳ＃２、…、ＶＴＳ＃ｎ）と、該第１実体情報を管理制御するための第１管理情報（例えば後述のＶＭＧ）と、前記第１圧縮符号化方式と異なる第２圧縮符号化方式（例えばＭＰＥＧ４）により圧縮符号化されていると共に前記コンテンツと同一又は異なるコンテンツの論理的なまとまりであるタイトルを夫々構成するための一又は複数の第２実体情報（例えば後述のＶＴＳ２＃１、ＶＴＳ２＃２、…、ＶＴＳ２＃ｍ）と、前記第１及び前記第２実体情報を管理制御するための第２管理情報（例えば後述のＶＭＧ２）とが記録されている。
【００１２】
本発明の請求項１０記載の情報記録媒体は上記課題を解決するために、所定の圧縮符号化方式（例えばＭＰＥＧ４）により圧縮符号化されていると共に少なくとも映像を含むコンテンツの論理的なまとまりであるタイトルを夫々構成するための一又は複数の実体情報（例えば後述のＶＴＳ２＃１、ＶＴＳ２＃２、…、ＶＴＳ２＃ｍ）と、前記実体情報を管理制御するための管理情報（例えば後述のＶＭＧ２）とが記録されており、前記管理情報は、各タイトルに対して固有に付与された、前記実体情報の識別番号を示す番号情報（例えば後述のＶＴＳ２Ｎ）と、前記実体情報の総数を示す総数情報（例えば後述のＶＴＳ２＿Ｎｓ）と、前記圧縮符号化方式と異なる他の圧縮符号化方式（例えばＭＰＥＧ２又はＭＰＥＧ１）により圧縮符号化されている他の実体情報（例えば後述のＶＴＳ＃１、ＶＴＳ＃２、…、ＶＴＳ＃ｎ）が記録されていないことを示す情報（例えば後述のＶＴＳ＿Ｎ）とを含む。
【００１３】
本発明の請求項１３記載の情報再生装置は上記課題を解決するために、請求項１から９のいずれか一項に記載の情報記録媒体を再生する情報再生装置であって、前記情報記録媒体から情報を読取る読取手段と、該読取られた情報に基づいて、前記第２管理情報（例えば後述のＶＭＧ２）が前記情報記録媒体に記録されているか否かを判定する判定手段と、該判定手段により前記第２管理情報が記録されていると判定された場合には、前記第２管理情報に従って、前記第１又は第２実体情報（例えば後述のＶＴＳ＃１、ＶＴＳ＃２、…、ＶＴＳ＃ｎ、又はＶＴＳ２＃１、ＶＴＳ２＃２、…、ＶＴＳ２＃ｍ）を再生出力し、前記判定手段により前記第２管理情報が記録されていないと判定された場合には、前記第１管理情報（例えば後述のＶＭＧ）に従って、前記第１実体情報を再生出力する再生出力手段とを備える。
【００１４】
本発明の請求項１４記載の情報再生装置は上記課題を解決するために、請求項２に記載の情報記録媒体を再生する情報再生装置であって、前記情報記録媒体に記録されたタイトルのうち再生すべきタイトルを選択する選択手段と、前記情報記録媒体から情報を読取る読取手段と、該読取られた情報に基づいて、前記第２管理情報（例えば後述のＶＭＧ２）が前記情報記録媒体に記録されているか否かを判定する判定手段と、該判定手段により前記第２管理情報が記録されていると判定された場合には、前記第２管理情報中の前記番号情報（例えば後述のＶＴＳＮ又はＶＴＳ２Ｎ）に従って、前記選択されたタイトルに対応する前記第１又は第２実体情報の識別番号を識別する第１識別手段と、該認識された識別番号が、前記第１実体情報の識別番号であるか又は前記第２実体情報の識別番号であるかを、前記第２管理情報中の前記識別情報（例えば後述のＴＴ＿ＴＹ＿ＩＤ）に基づいて識別する第２識別手段と、前記第１及び第２識別手段による識別結果に基づいて、前記選択されたタイトルに対応する前記第１又は第２実体情報（例えば後述のＶＴＳ＃１、ＶＴＳ＃２、…、ＶＴＳ＃ｎ、又はＶＴＳ２＃１、ＶＴＳ２＃２、…、ＶＴＳ２＃ｍ）を、再生出力する再生出力手段とを備える。
【００１５】
本発明の請求項１６記載の情報再生方法は上記課題を解決するために、請求項１から９のいずれか一項に記載の情報記録媒体を再生する情報再生方法であって、前記情報記録媒体から情報を読取る読取手段により読取られた情報に基づいて、前記第２管理情報（例えば後述のＶＭＧ２）が前記情報記録媒体に記録されているか否かを判定する判定工程と、該判定工程により前記第２管理情報が記録されていると判定された場合には、前記第２管理情報に従って、前記第１又は第２実体情報（例えば後述のＶＴＳ＃１、ＶＴＳ＃２、…、ＶＴＳ＃ｎ、又はＶＴＳ２＃１、ＶＴＳ２＃２、…、ＶＴＳ２＃ｍ）を再生出力し、前記判定工程により前記第２管理情報が記録されていないと判定された場合には、前記第１管理情報（例えば後述のＶＭＧ）に従って、前記第１実体情報を再生出力する再生出力工程とを備える。
【００１６】
本発明の請求項１７記載の情報再生方法は上記課題を解決するために、請求項２に記載の情報記録媒体を再生する情報再生方法であって、前記情報記録媒体から情報を読取る読取手段により読取られた情報に基づいて、前記第２管理情報（例えば後述のＶＭＧ２）が前記情報記録媒体に記録されているか否かを判定する判定工程と、該判定工程により前記第２管理情報が記録されていると判定された場合には、前記第２管理情報中の前記番号情報（例えば後述のＶＴＳＮ又はＶＴＳ２Ｎ）に従って、前記情報記録媒体に記録されたタイトルのうち再生すべきものとして選択されたタイトルに対応する前記第１又は第２実体情報（例えば後述のＶＴＳ＃１、ＶＴＳ＃２、…、ＶＴＳ＃ｎ、又はＶＴＳ２＃１、ＶＴＳ２＃２、…、ＶＴＳ２＃ｍ）の識別番号を識別する第１識別工程と、該認識された識別番号が、前記第１実体情報の識別番号であるか又は前記第２実体情報の識別番号であるかを、前記第２管理情報中の前記識別情報（例えば後述のＴＴ＿ＴＹ＿ＩＤ）に基づいて識別する第２識別工程と、前記第１及び第２識別工程による識別結果に基づいて、前記選択されたタイトルに対応する前記第１又は第２実体情報を、再生出力する再生出力工程とを備える。
【００１７】
本発明の請求項１８記載のコンピュータプログラムは上記課題を解決するために、コンピュータを請求項１３から１５のいずれか一項に記載の情報再生装置として機能させる。
【００１８】
本発明の作用及び他の利得は次に説明する実施の形態から明らかにされよう。
【００１９】
【発明の実施の形態】
以下、本発明の実施形態に係る情報記録媒体、情報再生装置及び方法、並びにコンピュータプログラムについて順に説明する。
【００２０】
（情報記録媒体の実施形態）
本発明に係る情報記録媒体の第１実施形態は、第１圧縮符号化方式により圧縮符号化されていると共に少なくとも映像を含むコンテンツの論理的なまとまりであるタイトルを夫々構成するための一又は複数の第１実体情報と、該第１実体情報を管理制御するための第１管理情報と、前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、前記第１及び前記第２実体情報を管理制御するための第２管理情報とが記録されている。
【００２１】
本発明に係る情報記録媒体の第１実施形態によれば、例えば後述のＶＴＳ（ＶＴＳ＃１、ＶＴＳ＃２、…、ＶＴＳ＃ｎ）である第１実体情報は、例えばＭＰＥＧ２又はＭＰＥＧ１である第１圧縮符号化方式により圧縮符号化されており、タイトルを夫々構成する。ここに「タイトル」とは、例えば映画一本、ドラマ一本、スポーツ番組一本、ゲーム一本等の論理的にまとまっている単位であり、映像及び音声の両者若しくは映像のみのコンテンツからなる。即ち、第１実体情報は、例えば伝統的なＤＶＤに記録されていたＳＤ規格の映像情報等である。他方、例えば後述のＶＴＳ２（ＶＴＳ２＃１、ＶＴＳ２＃２、…、ＶＴＳ２＃ｍ）である第２実体情報は、第１圧縮符号化方式と異なる、例えばＭＰＥＧ４である第２圧縮符号化方式により圧縮符号化されており、タイトルを夫々構成する。即ち、第２実体情報は、例えば伝統的なＤＶＤに記録されていなかったＨＤ規格或いはハイビジョンの映像情報等である。この際、第２実体情報が構成するタイトルと第１実体情報が構成するタイトルとは、規格や画質が相異なる同一映画など、同一のコンテンツからなってもよい。或いは、ダイジェスト版と特別版や、相互に何らかの関連のあるコンテンツ、更に内容の全く違う映画など、非同一のコンテンツからなってもよい。
【００２２】
そして、当該情報記録媒体の再生時には、第１又は第２管理情報を用いることにより、情報再生装置側で第２実体情報を再生する機能を有するか否かに応じて相異なる再生制御を効率良く実行可能となる。例えば後述のＶＭＧ２である第２管理情報に基づく管理制御を行うことによって、一方で、例えばＭＰＥＧ２又はＭＰＥＧ１などの第１圧縮符号化方式に対応する復号化処理を用いて、第１実体情報をデコード（復号化）することが可能となり、例えばＳＤ規格のタイトルなど、対応するタイトルの再生が可能となる。他方で、例えばＭＰＥＧ４などの第２圧縮符号化方式に対応する復号化処理を用いて、第２実体情報をデコード（復号化）することが可能となり、例えばＨＤ規格のタイトルなど、対応するタイトルの再生が可能となる。この場合には、第２管理情報が記録されていれば、これを参照することによって、第１管理情報を参照する必要なしに、第１及び第２実体情報の双方を再生制御できる。即ち、第１及び第２実体情報の両方を再生可能である所謂コンパチブルの情報再生装置によって当該情報記録媒体を再生する際には、第１管理情報を参照することなく第２管理情報を参照すれば足りるので、非常に効率的に、第１及び第２実体情報のいずれをも再生可能となる。
【００２３】
これに対して、第２実体情報を再生する機能を有せず（即ち、例えばＭＰＥＧ４用のデコーダを備えておらず）且つ第１実体情報を再生可能である（即ち、例えばＭＰＥＧ２又はＭＰＥＧ１用のデコーダを備えている）情報再生装置によって当該情報記録媒体を再生する際には、第２実体情報や第２管理情報を無視することにより、第１管理情報を用いて、第１実体情報を再生可能となる。よって、例えば既存のＤＶＤプレーヤなど、第２実体情報を再生する機能を有しない情報再生装置であっても、当該情報記録媒体を（それに記録された全ての情報とまでは行かないまでも）、ある程度の部分或いは何らかの形で再生可能となる。即ち、例えば既存のＤＶＤプレーヤなど、相対的に低機能の情報再生装置であっても、当該情報記録媒体を全く再生できない或いは再生不能となる事態を回避可能となる。
【００２４】
以上の結果、本発明に係る情報記録媒体の第１実施形態は、例えばＭＰＥＧ２やＭＰＥＧ１といった従来の圧縮符号化方式用の情報再生装置によっても再生可能となり、しかも例えばＭＰＥＧ４といった、より進んだ高効率の圧縮符号化方式用の情報再生装置によっても再生可能となる。従って、例えば赤色レーザ用のＤＶＤにＭＰＥＧ４を用いてＨＤ規格のタイトルを記録した情報記録媒体を、既存のＤＶＤプレーヤによっても何らかの形で或いは部分的に再生可能な情報記録媒体として、市場に提供することが可能となる。即ち、当該情報記録媒体の購入者が、これを全く再生できないという事態を回避できる。しかも、当該情報記録媒体の市場への提供によって、例えばＭＰＥＧ４に基づくデコード処理が可能である、より高機能のＤＶＤプレーヤの普及を促進できる。このように本実施形態は、実践上極めて有意義である。
【００２５】
情報記録媒体の第１実施形態の一態様では、前記第２管理情報は、各タイトルに対して固有に付与された、前記第１又は第２実体情報の識別番号を示す番号情報と、前記番号情報が前記第１実体情報の識別番号を示すのか又は前記第２実体情報の識別番号を示すのかを識別するための識別情報とをタイトル別に含む。
【００２６】
この態様によれば、例えば後述のＶＭＧ２である第２管理情報は、各タイトルに対して固有に付与された、例えば後述のＶＴＳ（ＶＴＳ＃１、ＶＴＳ＃２、…、ＶＴＳ＃ｎ）である第１実体情報の識別番号を示す、例えば後述の“ＶＴＳＮ”である番号情報を含む。又は、第２管理情報は、各タイトルに対して固有に付与された、例えば後述のＶＴＳ２（ＶＴＳ２＃１、ＶＴＳ２＃２、…、ＶＴＳ２＃ｍ）である第２実体情報の識別番号を示す、例えば後述の“ＶＴＳ２Ｎ”である番号情報を含む。更に、第２管理情報は、番号情報が第１実体情報の識別番号を示すのか又は第２実体情報の識別番号を示すのかを識別するための、例えば後述のＴＴ＿ＴＹ＿ＩＤである識別情報を、タイトル別に含む。従って、当該情報記録媒体の再生時には、これらの第２管理情報が含む識別情報及び番号情報を参照することによって、第１圧縮符号化方式による第１実体情報であっても、第２圧縮符号化方式による第２実体情報であっても再生できる。即ち、第１及び第２実体情報に対して、一連の識別番号（例えば、＃１、＃２、＃３、…といった配列番号など）を付与しつつも、番号情報により示される識別番号がいずれの実体情報に対応するものなのかが判別可能となるので、いずれの実体情報であっても問題なく再生可能となる。加えて、このような再生のために、第１管理情報は不要である。
【００２７】
情報記録媒体の第１実施形態の他の態様では、前記第２管理情報は、前記第１実体情報の各々について、その圧縮符号化方式を示す属性情報と、前記第２実体情報の各々について、その圧縮符号化方式を示す属性情報とを含む。
【００２８】
この態様によれば、例えば後述のＶＭＧ２である第２管理情報は、例えば後述のＶＴＳ（ＶＴＳ＃１、ＶＴＳ＃２、…、ＶＴＳ＃ｎ）である第１実体情報の各々について、その圧縮符号化方式を示す、例えば後述の“ＶＴＳ＿Ｖ＿ＡＴＲ”である属性情報を含む。更に、第２管理情報は、例えば後述のＶＴＳ２（ＶＴＳ２＃１、ＶＴＳ２＃２、…、ＶＴＳ２＃ｍ）である第２実体情報の各々について、その圧縮符号化方式を示す、例えば後述の“ＶＴＳ２＿Ｖ＿ＡＴＲ”である属性情報を含む。即ち、属性情報によって、第１実体情報の各々については、第１圧縮符号化方式（ＭＰＥＧ２など）であることが示され、第２実体情報の各々については、第２圧縮符号化方式（ＭＰＥＧ４など）であることが示される。従って、当該情報記録媒体の再生時には、第２管理情報が含む属性情報を参照することによって、第１実体情報であっても第２実体情報であっても、適切な圧縮符号化方式に対応する復号化処理を用いて問題なく再生可能となる。加えて、このような再生のために、第１管理情報は不要である。
【００２９】
情報記録媒体の第１実施形態の他の態様では、前記第２管理情報（例えば後述のＶＭＧ２）は、前記第１実体情報（例えば後述のＶＴＳ＃１、ＶＴＳ＃２、…、ＶＴＳ＃ｎ）の総数を示す総数情報（例えば後述のＶＴＳ＿Ｎｓ）と、前記第２実体情報（例えば後述のＶＴＳ２＃１、ＶＴＳ２＃２、…、ＶＴＳ２＃ｍ）の総数を示す総数情報（例えば後述のＶＴＳ２＿Ｎｓ）とを含む。
【００３０】
この態様によれば、例えば後述のＶＭＧ２である第２管理情報は、例えば後述のＶＴＳ（ＶＴＳ＃１、ＶＴＳ＃２、…、ＶＴＳ＃ｎ）である第１実体情報の総数を示す、例えば後述の“ＶＴＳ＿Ｎｓ”である総数情報を含む。更に、第２管理情報は、例えば後述のＶＴＳ２（ＶＴＳ２＃１、ＶＴＳ２＃２、…、ＶＴＳ２＃ｍ）である第２実体情報の総数を示す、例えば後述の“ＶＴＳ２＿Ｎｓ”である総数情報を含む。従って、当該情報記録媒体の再生時には、第２管理情報が含む総数情報を参照することによって、第１実体情報が任意の複数存在しても、若しくはこれに代えて又は加えて第２実体情報が任意の複数存在しても、第２管理情報が総数情報により示されている総数に応じて記録されているとの前提で第２管理情報を参照することによって、各実体情報でも問題なく再生可能となる。加えて、このような再生のために、第１管理情報は不要である。
【００３１】
情報記録媒体の第１実施形態の他の態様では、前記第２管理情報は、前記第１及び第２実体情報のうち少なくとも前記第２実体情報についてのユーザ選択用のメニューを示すと共に前記第１又は第２圧縮符号化方式により圧縮符号化された少なくとも映像情報を含んでなる第１メニュー情報と、該第１メニュー情報を圧縮符号化した第１又は第２圧縮符号化方式を示す属性情報とを含む。
【００３２】
この態様によれば、例えば後述のＶＭＧ２である第２管理情報は、例えば後述の“ＶＭＧＭ２＿ＶＯＢｓ”である第１メニュー情報を含む。この第１メニュー情報は、第１及び第２実体情報についてのユーザ選択用のメニューを示すか又は第２実体情報についてのユーザ選択用のメニューを示すと共に、第１又は第２圧縮符号化方式により圧縮符号化された少なくとも映像情報を含んでなる。更に、第２管理情報は、第１メニュー情報を圧縮符号化した第１又は第２圧縮符号化方式を示す、例えば後述の“ＶＭＧＭ２＿Ｖ＿ＡＴＲ”である属性情報を含む。従って、当該情報記録媒体の再生時には、第２管理情報が含む第１メニュー情報に対して、同じく第２管理情報が含む属性情報により示される第１又は第２圧縮符号化方式に対応する復号化処理を施すことによって、映像単独又は音声を伴う映像として、第１又は第２実体情報についてのユーザ選択用のメニューを示すことが可能となる。例えば、第１実体情報から構成されるタイトルと第２実体情報から構成されるタイトルとが混在してリストアップされたメニューの中から、或いは、第２実体情報から構成されるタイトルのみがリストアップされたメニューの中から、ユーザはリモコン操作、パネルボタン操作等によって所望のタイトルを選択可能となる。加えて、このようなメニュー表示のために、第１管理情報は不要である。
【００３３】
情報記録媒体の第１実施形態の他の態様では、前記第２実体情報は、前記第１及び第２実体情報のうち少なくとも前記第２実体情報についてのユーザ選択用のメニューを示すと共に前記第１又は第２圧縮符号化方式により圧縮符号化された少なくとも映像情報を含んでなる第２メニュー情報と、該第２メニュー情報を圧縮符号化した第１又は第２圧縮符号化方式を示す属性情報とを含む。
【００３４】
この態様によれば、例えば後述のＶＴＳ２（ＶＴＳ２＃１、ＶＴＳ２＃２、…、ＶＴＳ２＃ｍ）である第２実体情報は、例えば後述の“ＶＴＳＭ２＿ＶＯＢｓ”である第２メニュー情報を含む。この第２メニュー情報は、第１及び第２実体情報についてのユーザ選択用のメニューを示すか又は第２実体情報についてのユーザ選択用のメニューを示すと共に、第１又は第２圧縮符号化方式により圧縮符号化された少なくとも映像情報を含んでなる。更に、第２実体情報は、第２メニュー情報を圧縮符号化した第１又は第２圧縮符号化方式を示す、例えば後述の“ＶＴＳＭ２＿Ｖ＿ＡＴＲ”である属性情報を含む。従って、当該情報記録媒体の再生時には、第２実体情報が含む第２メニュー情報に対して、同じく第２実体情報が含む属性情報により示される第１又は第２圧縮符号化方式に対応する復号化処理を施すことによって、映像単独又は音声を伴う映像として、第１又は第２実体情報についてのユーザ選択用のメニューを示すことが可能となる。例えば、第１実体情報から構成されるタイトルと第２実体情報から構成されるタイトルとが混在してリストアップされたメニューの中から、或いは、第２実体情報から構成されるタイトルのみがリストアップされたメニューの中から、ユーザはリモコン操作、パネルボタン操作等によって所望のタイトルを選択可能となる。加えて、このようなメニュー表示のために、第１管理情報は不要である。
【００３５】
情報記録媒体の第１実施形態の他の態様では、前記第１管理情報（例えば後述のＶＭＧ）は、前記第１実体情報についてのユーザ選択用のメニューを示すと共に前記第１圧縮符号化方式により圧縮符号化された少なくとも映像情報を含んでなる第３メニュー情報と、該第３メニュー情報を圧縮符号化した前記第１圧縮符号化方式を示す属性情報とを含む。
【００３６】
この態様によれば、例えば後述のＶＭＧである第１管理情報は、例えば後述の“ＶＭＧＭ＿ＶＯＢｓ”である第３メニュー情報を含む。この第３メニュー情報は、第１実体情報についてのユーザ選択用のメニューを示すと共に、第１圧縮符号化方式により圧縮符号化された少なくとも映像情報を含んでなる。更に、第１管理情報は、第３メニュー情報を圧縮符号化した第１圧縮符号化方式を示す、例えば後述の“ＶＭＧＭ＿Ｖ＿ＡＴＲ”である属性情報を含む。言い換えれば、この属性情報は、第３メニューが第１圧縮符号化方式によって符号化されている旨を示す情報である。従って、当該情報記録媒体の再生時には、第１管理情報が含む第３メニュー情報に対して、同じく第１管理情報が含む属性情報により示される第１圧縮符号化方式に対応する復号化処理を施すことによって、映像単独又は音声を伴う映像として、第１実体情報についてのユーザ選択用のメニューを示すことが可能となる。例えば、第１実体情報から構成されるタイトルのみがリストアップされたメニューの中から、ユーザはリモコン操作、パネルボタン操作等によって所望のタイトルを選択可能となる。この際、第２実体情報或いは第２管理情報は無視すればよい。即ち、この態様に係る再生動作は、第２実体情報を再生する機能を有しない、例えば既存のＤＶＤプレーヤなどの情報再生装置によって好適に実行される。
【００３７】
情報記録媒体の第１実施形態の他の態様では、前記第１実体情報は、前記第１実体情報についてのユーザ選択用のメニューを示すと共に前記第１圧縮符号化方式により圧縮符号化された少なくとも映像情報を含んでなる第４メニュー情報と、該第４メニュー情報を圧縮符号化した前記第１圧縮符号化方式を示す属性情報とを含む。
【００３８】
この態様によれば、例えば後述のＶＴＳ（ＶＴＳ＃１、ＶＴＳ＃２、…、ＶＴＳ＃ｎ）である第１実体情報は、例えば後述の“ＶＴＳＭ＿ＶＯＢｓ”である第４メニュー情報を含む。この第４メニュー情報は、第１実体情報についてのユーザ選択用のメニューを示すと共に、第１圧縮符号化方式により圧縮符号化された少なくとも映像情報を含んでなる。更に、第１実体情報は、第４メニュー情報を圧縮符号化した第１圧縮符号化方式を示す、例えば後述の“ＶＴＳＭ＿Ｖ＿ＡＴＲ”である属性情報を含む。言い換えれば、この属性情報は、第４メニューが第１圧縮符号化方式によって符号化されている旨を示す情報である。従って、当該情報記録媒体の再生時には、第１実体情報が含む第４メニュー情報に対して、同じく第１実体情報が含む属性情報により示される第１圧縮符号化方式に対応する復号化処理を施すことによって、映像単独又は音声を伴う映像として、第１実体情報についてのユーザ選択用のメニューを示すことが可能となる。例えば、第１実体情報から構成されるタイトルのみがリストアップされたメニューの中から、ユーザはリモコン操作、パネルボタン操作等によって所望のタイトルを選択可能となる。この際、第２実体情報或いは第２管理情報は無視すればよい。即ち、この態様に係る再生動作は、第２実体情報を再生する機能を有しない、例えば既存のＤＶＤプレーヤなどの情報再生装置によって好適に実行される。
【００３９】
情報記録媒体の第１実施形態の他の態様では、前記第２管理情報は、前記第１管理情報を指定することにより該指定された第１管理情報を経由して前記第１実体情報を管理制御する。
【００４０】
この態様によれば、例えば後述のＶＭＧ２である第２管理情報は、例えば後述のＶＭＧである第１管理情報を指定することによって、この指定された第１管理情報を経由して、第１実体情報を管理制御する。例えば、第１管理情報は、前述した第１実体情報の識別番号を示す番号情報（例えば後述のＶＴＳＮ）、この番号情報が第１実体情報の識別番号を示すことを識別するための識別情報（例えば後述のＴＴ＿ＴＹ＿ＩＤ）、第１実体情報の各々についてその圧縮符号化方式を示す属性情報（例えば後述の“ＶＴＳ＿Ｖ＿ＡＴＲ）、第１実体情報の総数を示す総数情報（例えば後述の“ＶＴＳ＿Ｎｓ”）、各種メニュー情報（例えば、後述のＶＭＧＭ＿ＶＯＢｓ等）及びこれに対応する各種属性情報（例えば、後述の“ＶＭＧＭ＿Ｖ＿ＡＴＲ等）などを含んでよい。そして、第２管理情報は、これらの情報を直接に含むことに代えて、第１管理情報中におけるこれらの情報の記録位置をポインタ等によって保持しておき、これらの情報を参照すべき場合には、情報再生装置は、第２管理情報のポインタ等によって示される第１管理情報にアクセスして、これに基づく再生処理を実行する。このように、第２管理情報が第１管理情報を経由して管理制御を行う構成を採用すれば、第２実体情報を再生可能な情報再生装置と第２実体情報を再生不可能な情報再生装置との両者によって、第１管理情報を用いることが可能となり、第１管理情報の使用頻度を向上させることができる。よって、この意味では全体として第１及び第２管理情報の使用効率を上昇させることも可能となる。尚、いずれにせよ、第２実体情報を再生不可能な情報再生装置においては、第２実体情報や第２管理情報は無視すればよい。
【００４１】
本発明に係る情報記録媒体の第２実施形態は、所定の圧縮符号化方式により圧縮符号化されていると共に少なくとも映像を含むコンテンツの論理的なまとまりであるタイトルを夫々構成するための一又は複数の実体情報と、前記実体情報を管理制御するための管理情報とが記録されており、前記管理情報は、各タイトルに対して固有に付与された、前記実体情報の識別番号を示す番号情報と、前記実体情報の総数を示す総数情報と、前記圧縮符号化方式と異なる他の圧縮符号化方式により圧縮符号化されている他の実体情報が記録されていないことを示す情報とを含む。
【００４２】
本発明に係る情報記録媒体の第２実施形態によれば、例えば後述のＶＴＳ２（ＶＴＳ２＃１、ＶＴＳ２＃２、…、ＶＴＳ２＃ｍ）である実体情報は、例えばＭＰＥＧ４である圧縮符号化方式により圧縮符号化されており、タイトルを夫々構成する。即ち、実体情報は、例えば伝統的なＤＶＤに記録されていなかったＨＤ規格或いはハイビジョンの映像情報等である。更に、管理情報は、各タイトルに対して固有に付与された実体情報の識別番号を示す、例えば後述の“ＶＴＳ２Ｎ”である番号情報と、係る実体情報の総数を示す、例えば後述の“ＶＴＳ２＿Ｎｓ”である総数情報とを含む。更にまた、管理情報は、例えばＭＰＥＧ２（又はＭＰＥＧ１）である、他の圧縮符号化方式により圧縮符号化されている、例えば後述のＶＴＳ（ＶＴＳ＃１、ＶＴＳ＃２、…、ＶＴＳ＃ｎ）である他の実体情報が記録されていないことを示す、例えば後述の“ＶＴＳ＿Ｎ”である他の情報を含む。
【００４３】
従って、当該情報記録媒体を、例えばＭＰＥＧ４並びにＭＰＥＧ２（又はＭＰＥＧ１）対応のコンパチブルの情報再生装置によって再生する際には、例えば後述のＶＭＧ２である管理情報が含む番号情報及び総数情報を参照することにより、再生制御を効率良く実行可能となる。この際、管理情報が含む他の情報を参照することにより、例えばＳＤ規格のタイトルなどが記録されていないことを迅速に識別でき、例えばＨＤ規格のタイトルの再生を、それと識別した上で適切に実行可能となる。この場合には、コンパチブルの情報再生装置によって当該情報記録媒体を再生する際に、当該管理情報を参照すれば足りるので、非常に効率的に、実体情報を再生可能となる。
【００４４】
以上の結果、本発明に係る情報記録媒体の第２実施形態によれば、上述の如き例えばＭＰＥＧ４並びにＭＰＥＧ２（又はＭＰＥＧ１）対応のコンパチブルの情報再生装置を市場に投入しつつ、同時に、上述した本発明に係る情報記録媒体の第１実施形態の如くＭＰＥＧ４並びにＭＰＥＧ２（又はＭＰＥＧ１）の両者に対応する情報記録媒体とＭＰＥＧ４にのみ対応する情報記録媒体とを市場に投入しても、混乱或いは問題は発生しない。特に、当該コンパチブルの情報再生装置が、例えばＭＰＥＧ４にのみ対応する情報記録媒体を再生する際には非常に効率良く再生できる。このように本実施形態は、実践上極めて有意義である。
【００４５】
情報記録媒体の第２実施形態の一態様では、前記管理情報は、前記実体情報についてのユーザ選択用のメニューを示すと共に前記圧縮符号化方式又はこれと異なる他の圧縮符号化方式により圧縮符号化された少なくとも映像情報を含んでなるメニュー情報と、該メニュー情報を圧縮符号化した圧縮符号化方式を示す属性情報とを含む。
【００４６】
この態様によれば、例えば後述のＶＭＧ２である管理情報は、例えば後述の“ＶＭＧＭ２＿ＶＯＢｓ”であるメニュー情報を含む。このメニュー情報は、実体情報についてのユーザ選択用のメニューを示すと共に、圧縮符号化方式により圧縮符号化された少なくとも映像情報を含んでなる。更に、管理情報は、メニュー情報を圧縮符号化した圧縮符号化方式を示す、例えば後述の“ＶＭＧＭ２＿Ｖ＿ＡＴＲ”である属性情報を含む。従って、当該情報記録媒体の再生時には、管理情報が含むメニュー情報に対して、同じく管理情報が含む属性情報により示される圧縮符号化方式に対応する復号化処理を施すことによって、映像単独又は音声を伴う映像として、実体情報についてのユーザ選択用のメニューを示すことが可能となる。例えば、実体情報から構成されるタイトルがリストアップされたメニューの中から、ユーザはリモコン操作、パネルボタン操作等によって所望のタイトルを選択可能となる。
【００４７】
或いは情報記録媒体の第２実施形態の他の態様では、前記実体情報は、前記実体情報についてのユーザ選択用のメニューを示すと共に前記圧縮符号化方式又はこれと異なる他の圧縮符号化方式により圧縮符号化された少なくとも映像情報を含んでなるメニュー情報と、該メニュー情報を圧縮符号化した圧縮符号化方式を示す属性情報とを含む。
【００４８】
この態様によれば、例えば後述のＶＴＳ２である実体情報は、例えば後述の“ＶＴＳＭ２＿ＶＯＢｓ”であるメニュー情報を含む。このメニュー情報は、実体情報についてのユーザ選択用のメニューを示すと共に、圧縮符号化方式により圧縮符号化された少なくとも映像情報を含んでなる。更に、実体情報は、メニュー情報を圧縮符号化した圧縮符号化方式を示す、例えば後述の“ＶＴＳＭ２＿Ｖ＿ＡＴＲ”である属性情報を含む。従って、当該情報記録媒体の再生時には、実体情報が含むメニュー情報に対して、同じく実体情報が含む属性情報により示される圧縮符号化方式に対応する復号化処理を施すことによって、映像単独又は音声を伴う映像として、実体情報についてのユーザ選択用のメニューを示すことが可能となる。例えば、実体情報から構成されるタイトルがリストアップされたメニューの中から、ユーザはリモコン操作、パネルボタン操作等によって所望のタイトルを選択可能となる。
【００４９】
（情報再生装置の実施形態）
本発明に係る情報再生装置の第１実施形態は、上述した情報記録媒体の第１実施形態（但し、その各種態様も含む）を再生する情報再生装置であって、前記情報記録媒体から情報を読取る読取手段と、該読取られた情報に基づいて、前記第２管理情報が前記情報記録媒体に記録されているか否かを判定する判定手段と、該判定手段により前記第２管理情報が記録されていると判定された場合には、前記第２管理情報に従って、前記第１又は第２実体情報を再生出力し、前記判定手段により前記第２管理情報が記録されていないと判定された場合には、前記第１管理情報に従って、前記第１実体情報を再生出力する再生出力手段とを備える。
【００５０】
本発明に係る情報再生装置の第１実施形態によれば、先ず、例えば光ピックアップ等からなる読取手段によって、情報記録媒体から情報が読取られる。続いて、この読取られた情報に基づいて、例えばＣＰＵ等からなる判定手段によって、例えば後述のＶＭＧ２である第２管理情報が、情報記録媒体に記録されているか否かが判定される。そして、この判定手段により第２管理情報が記録されていると判定された場合には、例えばＣＰＵ、デコーダ等からなる再生出力手段によって、読取られた情報に含まれる第２管理情報に従って、第１又は第２実体情報（例えば後述のＶＴＳ＃１、ＶＴＳ＃２、…、ＶＴＳ＃ｎ、又はＶＴＳ２＃１、ＶＴＳ２＃２、…、ＶＴＳ２＃ｍ）が再生出力される。即ち、この場合には、例えばＭＰＥＧ４並びにＭＰＥＧ２（又はＭＰＥＧ１）対応の上述した情報記録媒体の第１実施形態を効率良く再生できる。他方で、判定手段により第２管理情報が記録されていないと判定された場合には、再生出力手段によって、読取られた情報に含まれる、例えば後述のＶＭＧである第１管理情報に従って、第１実体情報（例えば後述のＶＴＳ＃１、ＶＴＳ＃２、…、ＶＴＳ＃ｎ）が再生出力される。即ち、この場合には、例えばＭＰＥＧ２（又はＭＰＥＧ１）対応の既存のＤＶＤ等である情報記録媒体を効率良く再生できる。
【００５１】
以上の結果、本発明に係る情報再生装置の第１実施形態によれば、例えばＭＰＥＧ４並びにＭＰＥＧ２（又はＭＰＥＧ１）対応のコンパチブルＤＶＤプレーヤとして構築され、上述した情報記録媒体の第１実施形態を効率良く再生できる。しかも、第２実体情報や第２管理情報が記録されていない既存のＤＶＤ等である、第１実施形態とは異なる情報記録媒体であっても、第１管理情報に基づいて第１実体情報を効率良く再生できる。
【００５２】
尚、上述した本発明に係る情報記録媒体の第１実施形態における各種態様に対応して、本発明に係る情報再生装置の第１実施形態も各種態様を採ることが可能である。
【００５３】
本発明に係る情報再生装置の第２実施形態は、上述した情報記録媒体の第１実施形態における、第２管理情報が番号情報（例えば後述のＶＴＳＮ又はＶＴＳ２Ｎ）と識別情報（例えば後述のＴＴ＿ＴＹ＿ＩＤ）とをタイトル別に含む態様を再生する情報再生装置であって、前記情報記録媒体に記録されたタイトルのうち再生すべきタイトルを選択する選択手段と、前記情報記録媒体から情報を読取る読取手段と、該読取られた情報に基づいて、前記第２管理情報が前記情報記録媒体に記録されているか否かを判定する判定手段と、該判定手段により前記第２管理情報が記録されていると判定された場合には、前記第２管理情報中の前記番号情報に従って、前記選択されたタイトルに対応する前記第１又は第２実体情報の識別番号を識別する第１識別手段と、該認識された識別番号が、前記第１実体情報の識別番号であるか又は前記第２実体情報の識別番号であるかを、前記第２管理情報中の前記識別情報に基づいて識別する第２識別手段と、前記第１及び第２識別手段による識別結果に基づいて、前記選択されたタイトルに対応すると共に前記第１又は第２実体情報を、再生出力する再生出力手段とを備える。
【００５４】
本発明に係る情報再生装置の第２実施形態によれば、先ず、例えば光ピックアップ等からなる読取手段によって、情報記録媒体から情報が読取られる。これと相前後して、例えばリモコン、パネルスイッチ、ＣＰＵ等からなる選択手段によって、情報記録媒体に記録されたタイトルのうち再生すべきタイトルが選択される。続いて、この読取られた情報に基づいて、例えばＣＰＵ等からなる判定手段によって、例えば後述のＶＭＧ２である第２管理情報が、情報記録媒体に記録されているか否かが判定される。ここで、この判定手段により第２管理情報が記録されていると判定された場合には、例えばＣＰＵ等からなる第１識別手段によって、読取られた情報に含まれる第２管理情報中の番号情報（例えば後述のＶＴＳＮ又はＶＴＳ２Ｎ）に従って、選択されたタイトルに対応する第１又は第２実体情報の識別番号が識別される。更に、例えばＣＰＵ等からなる第２識別手段によって、この認識された識別番号が、第１実体情報の識別番号であるか又は第２実体情報の識別番号であるかが、読取られた情報に含まれる第２管理情報中の識別情報（例えば後述のＴＴ＿ＴＹ＿ＩＤ）に基づいて識別される。そして、例えばＣＰＵ、デコーダ等からなる再生出力手段によって、第１及び第２識別手段による識別結果に基づいて、選択されたタイトルに対応する第１又は第２実体情報（例えば後述のＶＴＳ＃１、ＶＴＳ＃２、…、ＶＴＳ＃ｎ、又はＶＴＳ２＃１、ＶＴＳ２＃２、…、ＶＴＳ２＃ｍ）が再生出力される。即ち、この場合には、例えばＭＰＥＧ４並びにＭＰＥＧ２（又はＭＰＥＧ１）対応の上述した情報記録媒体の第１実施形態を、効率良く再生できる。
【００５５】
以上の結果、本発明に係る情報再生装置の第２実施形態によれば、例えばＭＰＥＧ４並びにＭＰＥＧ２（又はＭＰＥＧ１）対応のコンパチブルＤＶＤプレーヤとして構築され、上述した本発明に係る情報記録媒体の第１実施形態の一態様を効率良く再生できる。しかも、第２実体情報や第２管理情報が記録されていない既存のＤＶＤ等であっても、上述した情報再生装置の第１実施形態の場合と同様に、第１管理情報に基づいて第１実体情報を効率良く再生することも可能である。
【００５６】
本発明に係る情報再生装置の第１又は第２実施形態の一態様では、前記再生出力手段は、前記第１圧縮符号化方式に対応する第１デコーダ及び前記第２圧縮符号化方式に対応する第２デコーダを含むデコーダ手段を含む。
【００５７】
この態様によれば、例えばＣＰＵ等からなる制御手段の制御下で、デコーダ手段では、判定手段による判定結果に応じて第１デコーダにより第１実体情報をデコードするか又は第２デコーダにより第２実体情報をデコードするかが、切り替えられる。そして、第１実体情報を再生する場合には、例えばＭＰＥＧ２（又はＭＰＥＧ１）対応の第１デコーダによって、第１圧縮符号化方式に対応する復号化処理が実行される。他方、第２実体情報を再生する場合には、例えばＭＰＥＧ４対応の第２デコーダによって、第２圧縮符号化方式に対応する復号化処理が実行される。
【００５８】
尚、以上説明した情報記録媒体の第１実施形態では、第２実体情報として、好適には、例えばＭＰＥＧ４により高効率に圧縮符号化されたＨＤ規格の映像情報が記録され、或いは、情報記録媒体の第２実施形態では、実体情報として、好適には、例えばＭＰＥＧ４により高効率に圧縮符号化されたＨＤ規格の映像情報が記録される。しかしながら、情報記録媒体の第１実施形態では、第２実体情報として、例えばＭＰＥＧ４により高効率に圧縮符号化されたＳＤ規格や他の規格の映像情報が記録され、或いは、情報記録媒体の第２実施形態では、実体情報として、例えばＭＰＥＧ４により高効率に圧縮符号化されたＳＤ規格や他の規格の映像情報が記録されてもよい。これらの場合にも、情報記録媒体の第１実施形態における第２実体情報或いは情報記録媒体の第２実施形態における実体情報として、例えば従来のＭＰＥＧ２（又はＭＰＥＧ１）により圧縮符号化する場合と比較して、より高効率の圧縮符号化によって、より大量の実体情報を記録することが可能となる。
【００５９】
（情報再生方法の実施形態）
本発明に係る情報再生方法の第１実施形態は、上述した情報記録媒体の第１実施形態（但し、その各種態様も含む）を再生する情報再生方法であって、前記情報記録媒体から情報を読取る読取手段により読取られた情報に基づいて、前記第２管理情報が前記情報記録媒体に記録されているか否かを判定する判定工程と、該判定工程により前記第２管理情報が記録されていると判定された場合には、前記第２管理情報に従って、前記第１又は第２実体情報を再生出力し、前記判定工程により前記第２管理情報が記録されていないと判定された場合には、前記第１管理情報に従って、前記第１実体情報を再生出力する再生出力工程とを備える。
【００６０】
本発明に係る情報再生方法の第１実施形態によれば、上述した情報再生装置の第１実施形態の場合と同様に、上述した情報記録媒体の第１実施形態（但し、その各種態様を含む）を、比較的効率良く再生できる。
【００６１】
尚、上述した情報記録媒体の第１実施形態における各種態様に対応して、本発明に係る情報再生方法の第１実施形態も各種態様を採ることが可能である。
【００６２】
本発明に係る情報再生方法の第２実施形態は、上述した情報記録媒体の第１実施形態における、第２管理情報が番号情報（例えば後述のＶＴＳＮ又はＶＴＳ２Ｎ）と識別情報（例えば後述のＴＴ＿ＴＹ＿ＩＤ）とをタイトル別に含む態様を再生する情報再生方法であって、前記情報記録媒体から情報を読取る読取手段により読取られた情報に基づいて、前記第２管理情報（例えば後述のＶＭＧ２）が前記情報記録媒体に記録されているか否かを判定する判定工程と、該判定工程により前記第２管理情報が記録されていると判定された場合には、前記第２管理情報中の前記番号情報（例えば後述のＶＴＳＮ又はＶＴＳ２Ｎ）に従って、前記情報記録媒体に記録されたタイトルのうち再生すべきものとして選択されたタイトルに対応する前記第１又は第２実体情報（例えば後述のＶＴＳ＃１、ＶＴＳ＃２、…、ＶＴＳ＃ｎ、又はＶＴＳ２＃１、ＶＴＳ２＃２、…、ＶＴＳ２＃ｍ）の識別番号を識別する第１識別工程と、該認識された識別番号が、前記第１実体情報の識別番号であるか又は前記第２実体情報の識別番号であるかを、前記第２管理情報中の前記識別情報（例えば後述のＴＴ＿ＴＹ＿ＩＤ）に基づいて識別する第２識別工程と、前記第１及び第２識別工程による識別結果に基づいて、前記選択されたタイトルに対応する前記第１又は第２実体情報を、再生出力する再生出力工程とを備える。
【００６３】
本発明に係る情報再生方法の第２実施形態によれば、上述した情報再生装置の第２実施形態の場合と同様に、上述した本発明に係る情報記録媒体の第１実施形態の一態様を、比較的効率良く再生できる。
【００６４】
（コンピュータプログラムの実施形態）
本発明に係るコンピュータプログラムの実施形態は、コンピュータを上述した情報再生装置の第１又は第２実施形態として機能させる。より具体的には、コンピュータを上述した情報再生装置の第１実施形態における読取手段、判定手段及び再生出力手段の少なくとも一部として機能させる。或いは、コンピュータを上述した情報再生装置の第２実施形態における選択手段、読取手段、判定手段、第１識別手段、第２識別手段及び再生出力手段の少なくとも一部として機能させる。
【００６５】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明に係る情報再生装置の第１又は第２実施形態を比較的簡単に実現できる。
【００６６】
尚、上述した本発明に係る情報記録媒体の第１実施形態における各種態様に対応して、本発明に係るコンピュータプログラムの実施形態も各種態様を採ることが可能である。
【００６７】
本発明のこのような作用及び他の利得は次に説明する実施の形態から明らかにされる。
【００６８】
以上説明したように、本発明に係る情報記録媒体の第１実施形態によれば、第１及び第２実体情報並びに第１及び第２管理情報が記録されているので、例えばＭＰＥＧ２（又はＭＰＥＧ１）対応の情報再生装置によっても再生可能となり、しかも例えばＭＰＥＧ４対応の情報再生装置によっても再生可能となる。本発明に係る情報記録媒体の第２実施形態によれば、実体情報並びに番号情報、総数情報及びその他の情報を含む管理情報が記録されているので、例えばＭＰＥＧ４対応の情報再生装置によっても再生可能となる。本発明に係る情報再生装置の第１実施形態によれば、読取手段、判定手段及び再生出力手段を備えるので、上述した情報記録媒体の第１実施形態を効率良く再生できる。本発明に係る情報再生装置の第２実施形態によれば、選択手段、読取手段、判定手段、第１識別手段、第２識別手段及び再生出力手段を備えるので、上述した本発明に係る情報記録媒体の第１実施形態の一態様を効率良く再生できる。本発明に係る情報再生方法の第１実施形態によれば、判定工程及び再生出力工程を備えるので、上述した情報記録媒体の第１実施形態を効率良く再生できる。本発明に係る情報再生方法の第２実施形態によれば、判定工程、第１識別工程、第２識別工程及び再生出力工程を備えるので、上述した本発明に係る情報記録媒体の第１実施形態の一態様を効率良く再生できる。また、本発明に係るコンピュータプログラムの実施形態によれば、コンピュータを上述した情報再生装置の第１又は第２実施形態として機能させるので、上述した情報記録媒体の第１実施形態を効率良く再生できる。
【００６９】
【実施例】
以下、本発明の実施例を図面に基づいて説明する。
【００７０】
（情報記録媒体）
図１から図１３を参照して、本発明の情報記録媒体の実施例について説明する。本実施例は、本発明に係る情報記録媒体を、赤色レーザで再生可能な型の光ディスクに適用したものである。
【００７１】
先ず図１を参照して、本実施例の光ディスクの基本構造について説明する。ここに図１は、上側に複数のエリアを有する光ディスクの構造を概略平面図で示すと共に、下側にその径方向におけるエリア構造を概念図で対応付けて示すものである。
【００７２】
図１に示すように、光ディスク１００は、例えば、再生専用とされており、或いは、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データエリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウオブリングされてもよいし、これらのうち一方又は両方のトラックにプレピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。
【００７３】
次に図２から図８を参照して、光ディスク１００上に記録されるデータの構造について説明する。ここに、図２は、光ディスク１００上に記録されるデータ構造を模式的に示すものである。図３は、図２に示したＶＭＧ（ビデオマネージャ）内におけるデータ構造の詳細を模式的に示すものである。図４は、図３に示したＴＴ＿ＳＲＰＴ（タイトル・サーチポインタテーブル）内におけるデータ構造の詳細を模式的に示すものである。図５は、図２に示したＶＴＳ（ビデオタイトルセット）内におけるデータ構造の詳細を模式的に示すものである。図６は、図２に示したＶＭＧ２内におけるデータ構造の詳細を模式的に示すものである。図７は、図６に示したＴＴ＿ＳＲＰＴ２内におけるデータ構造の詳細を模式的に示すものである。図８は、図２に示したＶＴＳ２内におけるデータ構造の詳細を模式的に示すものである。
【００７４】
図２において、光ディスク１００は、論理的構造として、図中上段に示すように、ファイルシステム（Ｆｉｌｅ  Ｓｙｓｔｅｍ）１０１、“ＶＭＧ（ビデオマネージャ）”１１０、複数のＶＴＳ（ビデオタイトルセット）１１１（即ち、ＶＴＳ＃１、ＶＴＳ＃２、…、ＶＴＳ＃ｎ）、及びその他の領域（ＤＶＤ  ｏｔｈｅｒ  ｚｏｎｅ）１１２を備える。
【００７５】
ファイルシステム１０１は、光ディスク１００上に記録される各種ファイルの物理的な記録領域を管理するための情報（例えば、データ、データリスト、データファイル又はデータテーブル）からなる。“ＶＭＧ”１１０は、本発明に係る“第１管理情報”の一例であり、各ＶＴＳ＃ｉ（ｉ＝１、２、…、ｎ）１１１を管理制御するための情報（例えば、データ、データリスト、データファイル又はデータテーブル）である。各ＶＴＳ＃ｉ１１１は、本発明に係る“第１実体情報”の一例であり、ＭＰＥＧ１又はＭＰＥＧ２によって圧縮符号化されている情報（例えば、データ、データリスト、データファイル又はデータテーブル）である。
【００７６】
尚、本実施例において、ＶＴＳ＃ｉ１１１とは、例えば、関連する（即ち、それに含まれる音声情報及び副映像情報の数や、仕様、対応言語等の属性が同じ）タイトルを一まとめにしたセット（まとまり）である。
【００７７】
本実施例では、これら“ＶＭＧ”１１０及びＶＴＳ＃ｉ１１１によって、従来のＤＶＤのＶｅｒ１．Ｘ（バージョン１．Ｘ）と同様のデータ構造を有する第１ビデオゾーンが、光ディスク１００上に構築されている。そして、この第１ビデオゾーン内に、例えばＳＤ（スタンダードデフィニション）規格のコンテンツ情報が、ＶＴＳ＃ｉ１１１として記録されており、これが“ＶＭＧ”１１０によって管理制御される。
【００７８】
図２中下段に示すように、光ディスク１００は更に、その他の領域（ＤＶＤ  ｏｔｈｅｒ  ｚｏｎｅ）１１２内に、“ＶＭＧ２”１２０、複数の“ＶＴＳ２”１２１（即ち、ＶＴＳ２＃１、ＶＴＳ２＃２、…、ＶＴＳ２＃ｍ）、及びその他の領域（ＤＶＤ  ｏｔｈｅｒ  ｚｏｎｅ）１２２を備える。
【００７９】
“ＶＭＧ２”１２０は、本発明に係る“第２管理情報”の一例であり、各ＶＴＳ２＃ｊ（ｊ＝１、２、…、ｍ）１２１を管理制御するための情報（例えば、データ、データリスト、データファイル又はデータテーブル）である。各ＶＴＳ２＃ｊ１２１は、本発明に係る“第２実体情報”の一例であり、第１ビデオゾーンと異なる圧縮符号化方式であるＭＰＥＧ４によって圧縮符号化されている情報（例えば、データ、データリスト、データファイル又はデータテーブル）である。
【００８０】
尚、本実施例において、ＶＴＳ２＃ｊ１２１とは、例えば、関連する（即ち、それに含まれる音声情報及び副映像情報の数や、仕様、対応言語等の属性が同じ）タイトルを一まとめにしたセット（まとまり）である。
【００８１】
本実施例では、これら“ＶＭＧ２”１２０及びＶＴＳ２＃ｊ１２１によって、従来のＤＶＤとは異なる、Ｖｅｒ２．０（バージョン２．０）のデータ構造を有する第２ビデオゾーンが、光ディスク１００上に構築されている。そして、この第２ビデオゾーン内に、前述の第１ビデオゾーンとは異なるＨＤ（ハイデフィニション）規格或いはハイビジョンのコンテンツ情報や、前述の第１ビデオゾーンと同様のＳＤ規格のコンテンツ情報が、“ＶＴＳ２＃ｊ”１２１として記録されており、これが“ＶＭＧ２”１２０によって管理制御される。
【００８２】
本実施例では特に、以下に説明するように、“ＶＭＧ２”１２０は、第２実体情報の一例としてのＶＴＳ２＃ｊ１２１だけでなく、第１実体情報の一例としてのＶＴＳ＃ｉ１１１をも管理制御するように構成されている。即ち、光ディスク１００の再生時には、例えばＶＴＳ２＃ｊ１２１を再生可能なＶｅｒ２．０対応の（例えば、ＭＰＥＧ４対応の）ＤＶＤプレーヤであれば、“ＶＭＧ”１１０を参照する必要なしに、“ＶＭＧ２”１２０を参照することによって、ＶＴＳ２＃ｊ１２１だけでなく、ＶＴＳ＃ｉ１１１をも適切に再生することが可能となる。更に、光ディスク１００の再生時には、例えばＶＴＳ２＃ｊ１２１を再生不可能であり且つＶＴＳ＃ｉ１１１を再生可能なＶｅｒ１．Ｘ対応の（例えば、ＭＰＥＧ２対応の）ＤＶＤプレーヤであれば、ＶＴＳ２＃ｊ１２１や“ＶＭＧ２”１２０を無視して、“ＶＭＧ”１１０を参照することによって、ＶＴＳ＃ｉ１１１を従来通りに適切に再生することが可能となる。
【００８３】
図３に示すように、図２に示した“ＶＭＧ”１１０は、ＶＭＧＩ（ＶＭＧ  Ｉｎｆｏｒｍａｔｉｏｎ：ＶＭＧ情報）、ＶＭＧＭ＿ＶＯＢＳ（ＶＭＧ  Ｍｅｎｕ  Ｖｉｄｅｏ  Ｏｂｊｅｃｔｓ：ＶＭＧメニュー・ビデオオブジェクト）及びＶＭＧＩ＿ＢＵＰ（ＶＭＧＩ  Ｂａｃｋ  Ｕｐ：ＶＭＧ情報のバックアップ）を含んでなる。
【００８４】
ここに、「ＶＭＧＩ」は、“ＶＭＧ”１１０の全体に関する各種論理情報（例えば、データ、データリスト、データファイル又はデータテーブル）である。「ＶＭＧＭ＿ＶＯＢＳ」は、例えばディスクメニューなど、当該“ＶＭＧ”１１０で管理制御されるＶＴＳ＃ｉ１１１の全体に関するメニュー画面を表示するためのビデオ情報等を含むオブジェクト情報或いは実体情報（例えば、データ、データリスト、データファイル又はデータテーブル）である。「ＶＭＧＩ＿ＢＵＰ」は、ＶＭＧＩの重要性に鑑みて記録される、ＶＭＧＩのバックアップ情報（例えば、データ、データリスト、データファイル又はデータテーブル）である。このＶＭＧＩ＿ＢＵＰによって、ＶＭＧＩが破壊された場合であっても、ＶＴＳ＃ｉ１１１の再生に支障を来たすことを未然防止できる。
【００８５】
図３に示すように、「ＶＭＧＩ」は、ＶＭＧＩ＿ＭＡＴ（ＶＭＧＩ  Ｍａｎａｇｅｍｅｎｔ  Ｔａｂｌｅ：ＶＭＧＩ・マネージメントテーブル）、ＴＴ＿ＳＲＰＴ（Ｔｉｔｌｅ  Ｓｅａｒｃｈ  Ｐｏｉｎｔｅｒ  Ｔａｂｌｅ：タイトル・サーチポインタテーブル）１１５及びその他の情報を有する。
【００８６】
「ＶＭＧＩ＿ＭＡＴ」は、当該“ＶＭＧ”１１０に関する各種論理情報のテーブルからなり、より具体的には、図中右部分に示すように、ＶＭＧＩ＿ＩＤ（ＶＭＧＩ識別情報）、ＶＥＲＮ（Ｖｅｒｓｉｏｎ  Ｎｕｍｂｅｒ：バージョン番号）、ＶＴＳ＿Ｎｓ（ＶＴＳ  Ｎｕｍｂｅｒｓ：ＶＴＳの総数）、ＴＴ＿ＳＲＰＴスタートアドレス、ＶＭＧＭ＿Ｖ＿ＡＴＲ（ＶＭＧＭ  Ｖｉｄｅｏ  Ａｔｔｒｉｂｕｔｅ：ＶＭＧＭビデオ属性）、ＶＴＳ＿Ｖ＿ＡＴＲ＃１〜＃ｎ（ＶＴＳ  Ｖｉｄｅｏ  Ａｔｔｒｉｂｕｔｅｓ：ＶＴＳビデオ属性）、及びその他の情報を含むテーブルからなる。
【００８７】
「ＶＭＧＩ＿ＩＤ」は、当該ＶＭＧＩの識別情報である。これは、例えば、“ＤＶＤ  Ｖｉｄｅｏ  ＶＭＧ”、即ち、ＤＶＤビデオのＶＭＧである旨を示し、つまり、既存或いは旧型の“ＶＭＧ”であることを示すための情報である。
【００８８】
「ＶＥＲＮ」は、ＶＭＧのバージョン番号を示す情報である。より具体的には、例えば、ＶＭＧのバージョン番号として“Ｖｅｒ１．Ｘ”が記述される。この“Ｖｅｒ１．Ｘ”は、例えば、ＭＰＥＧ２で当該ＶＭＧにより管理するＶＴＳ＃ｉ１１１が、圧縮符号化されていること、即ち、再生時にＭＰＥＧ２に準拠して復号化処理を行えば再生可能である旨を示す。
【００８９】
「ＶＴＳ＿Ｎｓ」は、ＶＴＳ＃ｉ１１１の総数（ｎ）を示す情報である。
【００９０】
「ＴＴ＿ＳＲＰＴスタートアドレス」は、ＴＴ＿ＳＲＰＴ１１５のスタートアドレスを示す情報である。即ち、ＶＭＧＩ＿ＭＡＴのデータ長が可変長であっても、いずれのアドレスからＴＴ＿ＳＲＰＴ１１５が記述されているかの判別を可能ならしめる情報である。
【００９１】
「ＶＭＧＭ＿Ｖ＿ＡＴＲ」は、ＶＭＧメニューを構成するビデオ情報の属性情報であり、例えば、“００”の時、このビデオ情報がＭＰＥＧ１で圧縮符号化されていることを示し、“０１”の時、ビデオ情報がＭＰＥＧ２で圧縮符号化されていることを示す。
【００９２】
「ＶＴＳ＿Ｖ＿ＡＴＲ＃１〜＃ｎ」は、夫々対応するＶＴＳ＃１〜＃ｎを構成するビデオ情報の属性情報であり、例えば、“００”の時、かかるビデオ情報がＭＰＥＧ１で圧縮符号化されていることを示し、“０１”の時、ビデオ情報がＭＰＥＧ２で圧縮符号化されているのかを示す。
【００９３】
尚、図３において、ＶＭＧＩ＿ＭＡＴ及びＴＴ＿ＳＲＰＴ１１５と共にＶＭＧＩに含まれる「その他の情報」は、例えば、ＶＭＧＩ＿ＭＡＴ、ＴＴ＿ＳＲＰＴ１１５等のテーブルのアドレス情報や、パレンタル、テキスト情報等である。尚、「パレンタル」とは、同じ話に係る映画等であっても、成人用、子供用などに応じて、再生されるシーン等が異なるコンテンツ或いはその再生をいう。
【００９４】
図４に示すように、図３に示したＴＴ＿ＳＲＰＴ１１５は、当該“ＶＭＧ”１１０が管理する各タイトルにアクセスするための管理情報テーブルである。ＴＴ＿ＳＲＰＴ１１５は、当該ＴＴ＿ＳＲＰＴ１１５に関する各種論理情報であるＴＴ＿ＳＲＰＴＩ（ＴＴ＿ＳＲＰＴ  Ｉｎｆｏｒｍａｔｉｏｎ：ＴＴ＿ＳＲＰＴ情報）と、タイトル毎に設けられたＴＴ＿ＳＲＰ（タイトル・サーチポインタ）＃１、ＴＴ＿ＳＲＰ＃２、…、ＴＴ＿ＳＲＰ＃ｐとを含んでなる。
【００９５】
「ＴＴ＿ＳＲＰＴＩ」は、図４中右部に示すように、“ＶＭＧ”１１０が管理するタイトルの総数を示す総数情報の一例たる、ＴＴ＿ＳＲＰ＿Ｎｓ（ＴＴ＿ＳＲＰ  Ｎｕｍｂｅｒｓ：タイトル・サーチポインタ総数）と、ＴＴ＿ＳＲＰＴ１１５のエンドアドレスを示す情報であるＴＴ＿ＳＲＰＴ＿ＥＡ（ＴＴ＿ＳＲＰＴ  Ｅｎｄ  Ａｄｄｒｅｓｓ：タイトル・サーチポインタテーブル・エンドアドレス）とを含んでなる。
【００９６】
「ＴＴ＿ＳＲＰ＃ｋ（ｋ＝１、…、ｐ）」は夫々、図４中右部に示すように、例えば分岐型であるなど当該タイトルの型（タイプ）を示す情報であるＴＴ＿ＰＢ＿ＴＹ（Ｔｉｔｌｅ  Ｐｌａｙ  Ｂａｃｋ  Ｔｙｐｅ：タイトル・プレイバック・タイプ）と、当該タイトルが格納されているＶＴＳ番号を示す情報であるＶＴＳＮ（ＶＴＳ  Ｎｕｍｂｅｒ：ＶＴＳ番号）と、当該タイトルの格納されているＶＴＳ中におけるＶＴＳタイトル番号を示す情報であるＶＴＳ＿ＴＴＮ（ＶＴＳ  Ｔｉｔｌｅ  Ｎｕｍｂｅｒ：ＶＴＳタイトル番号）とを含んでなる。「ＴＴ＿ＳＲＰ＃ｋ（ｋ＝１、…、ｐ）」は更に、例えば該当するＶＴＳアドレスや、タイトルのパレンタルやアングル数など、当該タイトルのための総合情報等を含むその他の情報を含んでなる。
【００９７】
尚、「分岐型」のタイトルとは、条件や外部指示に従って、分岐するタイトルのことであり、例えば、解答の正否に応じて異なるコンテンツが再生されるゲーム用や教育用のタイトルである。また、「アングル」とは、同一シーンを相互に異なる視点で表示する再生をいう。
【００９８】
次に図５に示すように、ＶＴＳ＃ｉ１１１は、ＶＴＳＩ（ＶＴＳ  Ｉｎｆｏｒｍａｔｉｏｎ：ＶＴＳ情報）と、ＶＴＳＭ＿ＶＯＢ（ＶＴＳ  Ｍｅｎｕ  Ｖｉｄｅｏ  Ｏｂｊｅｃｔ：ＶＴＳメニュー・ビデオオブジェクト）と、ＶＴＳ＿ＶＯＢ（ＶＴＳ  Ｖｉｄｅｏ  Ｏｂｊｅｃｔ：ＶＴＳビデオオブジェクト）１１６と、ＶＴＳＩのバックアップファイルであるＶＴＳＩ＿ＢＵＰ（ＶＴＳＩ  Ｂａｃｋ  Ｕｐ：ＶＴＳ情報バックアップ）とを含んでなる。
【００９９】
「ＶＴＳＩ」は、ＶＴＳＩ＿ＭＡＴ（ＶＴＳＩ  Ｍａｎａｇｅｍｅｎｔ  Ｔａｂｌｅ：ＶＴＳＩ・マネージメントテーブル）、その他の情報及びＶＴＳ内情報を含んでなる。
【０１００】
このようなＶＴＳＩには、ＶＴＳ内情報として或いはその他の情報として、例えば、複数のセル（セルについては後述する。）を組合わせた論理的区分であるプログラムチェインに関する種々の情報であるＰＧＣＩ（Ｐｒｏｇｒａｍ  Ｃｈａｉｎ  Ｉｎｆｏｒｍａｔｉｏｎ）等の情報が記録される。そして、各ＶＴＳ＿ＶＯＢ１１６には、例えば、各種の制御情報の他に、映像情報及び音声情報の実体部分（制御情報以外の映像又は音声そのもの）が記録される。セル及びＰＧＣＩについては、後述する（図１２及び図１３参照）。
【０１０１】
また、「ＶＴＳＩ＿ＭＡＴ」は、ＶＴＳ＿ＩＤ（ＶＴＳ  ＩＤ：ＶＴＳ識別情報）、ＶＥＲＮ（Ｖｅｒｓｉｏｎ  Ｎｕｍｂｅｒ：バージョン番号）、ＶＴＳＭ＿Ｖ＿ＡＴＲ（ＶＴＳＭ  Ｖｉｄｅｏ  Ａｔｔｒｉｂｕｔｅ：ＶＭＧＭビデオ属性）、ＶＴＳ＿Ｖ＿ＡＴＲ（ＶＴＳ  Ｖｉｄｅｏ  Ａｔｔｒｉｂｕｔｅ：ＶＴＳビデオ属性）、及びその他の情報を含むテーブルからなる。
【０１０２】
「ＶＴＳＩ＿ＩＤ」は、当該ＶＴＳＩの識別情報である。これは、例えば、“ＤＶＤ  Ｖｉｄｅｏ  ＶＴＳ”、即ち、ＤＶＤビデオのＶＴＳである旨を示し、つまり、既存或いは旧型の“ＶＴＳ”であることを示すための情報である。
【０１０３】
「ＶＥＲＮ」は、ＶＴＳのバージョン番号を示す情報である。より具体的には、例えば、ＶＴＳのバージョン番号として“Ｖｅｒ１．Ｘ”が記述される。この“Ｖｅｒ１．Ｘ”は、例えば、ＭＰＥＧ２で当該ＶＭＧにより管理するＶＴＳ＃ｉ１１１が、圧縮符号化されていること、即ち、再生時にＭＰＥＧ２に準拠して復号化処理を行えば再生可能である旨を示す。
【０１０４】
「ＶＴＳＭ＿Ｖ＿ＡＴＲ」は、ＶＴＳメニューを構成するビデオ情報の属性情報であり、例えば、“００”の時、このビデオ情報がＭＰＥＧ１で圧縮符号化されていることを示し、“０１”の時、ビデオ情報がＭＰＥＧ２で圧縮符号化されていることを示す。
【０１０５】
「ＶＴＳ＿Ｖ＿ＡＴＲ」は、当該ＶＴＳ＃ｉ１１１を構成する（即ち、一つのＶＴＳを構成する）ビデオ情報の属性情報であり、例えば、“００”の時、このビデオ情報がＭＰＥＧ１で圧縮符号化されていることを示し、“０１”の時、ビデオ情報がＭＰＥＧ２で圧縮符号化されていることを示す。
【０１０６】
尚、図５において「ＶＴＳ＿Ｖ＿ＡＴＲ」に続く「その他の情報」は、例えば、ＶＴＳ＿ＶＯＢにアクセスするために必要な情報等である。
【０１０７】
図６に示すように、図２に示した“ＶＭＧ２”１２０は、ＶＭＧ２Ｉ（ＶＭＧ２  Ｉｎｆｏｒｍａｔｉｏｎ：ＶＭＧ２情報）、ＶＭＧＭ２＿ＶＯＢＳ（ＶＭＧ  Ｍｅｎｕ  ２  Ｖｉｄｅｏ  Ｏｂｊｅｃｔｓ：ＶＭＧメニュー２ビデオオブジェクト）及びＶＭＧＩ２＿ＢＵＰ（ＶＭＧＩ２  Ｂａｃｋ  Ｕｐ：ＶＭＧ情報２のバックアップ）を含んでなる。
【０１０８】
ここに、「ＶＭＧ２Ｉ」は、“ＶＭＧ２”１２０の全体に関する各種論理情報（例えば、データ、データリスト、データファイル又はデータテーブル）である。「ＶＭＧＭ２＿ＶＯＢＳ」は、例えばディスクメニューなど、当該“ＶＭＧ２”１２０で管理制御されるＶＴＳ２＃ｊ１２１（図２参照）の全体に関するメニュー画面を表示するためのビデオ情報等を含むオブジェクト情報或いは実体情報（例えば、データ、データリスト、データファイル又はデータテーブル）である。即ち、本実施例は、第２管理情報の一例たる“ＶＭＧ２”によっても、光ディスク１００の全体についてのディスクメニュー或いは全体メニューを再生制御可能となるように構成されている。「ＶＭＧＩ２＿ＢＵＰ」は、ＶＭＧ２Ｉの重要性に鑑みて記録される、ＶＭＧ２Ｉのバックアップ情報（例えば、データ、データリスト、データファイル又はデータテーブル）である。このＶＭＧＩ２＿ＢＵＰによって、ＶＭＧ２Ｉが破壊された場合であっても、ＶＴＳ２＃ｊ１２１の再生に支障を来たすことを未然防止できる。
【０１０９】
図６に示すように、「ＶＭＧ２Ｉ」は、ＶＭＧ２Ｉ＿ＭＡＴ（ＶＭＧ２Ｉ  Ｍａｎａｇｅｍｅｎｔ  Ｔａｂｌｅ：ＶＭＧＩ・マネージメントテーブル）、ＴＴ＿ＳＲＰＴ２（Ｔｉｔｌｅ  Ｓｅａｒｃｈ  Ｐｏｉｎｔｅｒ  Ｔａｂｌｅ  ２：タイトル・サーチポインタテーブル２）１２５及びその他の情報を有する。
【０１１０】
「ＶＭＧ２Ｉ＿ＭＡＴ」は、当該“ＶＭＧ２”１２０に関する各種論理情報のテーブルからなり、より具体的には、図６中右部分に示すように、ＶＭＧ２Ｉ＿ＩＤ（ＶＭＧ２Ｉ  ＩＤ：ＶＭＧ２Ｉ識別情報）、ＶＥＲＮ（Ｖｅｒｓｉｏｎ  Ｎｕｍｂｅｒ：バージョン番号）、ＶＴＳ＿Ｎｓ（ＶＴＳ  Ｎｕｍｂｅｒｓ：ＶＴＳの総数）、ＶＴＳ２＿Ｎｓ（ＶＴＳ２  Ｎｕｍｂｅｒｓ：ＶＴＳ２の総数）、ＴＴ＿ＳＲＰＴ２スタートアドレス、ＶＭＧＭ２＿Ｖ＿ＡＴＲ（ＶＭＧＭ２  Ｖｉｄｅｏ  Ａｔｔｒｉｂｕｔｅ：ＶＭＧＭ２ビデオ属性）、ＶＴＳ＿Ｖ＿ＡＴＲ＃１〜＃ｎ（ＶＴＳ  Ｖｉｄｅｏ  Ａｔｔｒｉｂｕｔｅｓ：ＶＴＳビデオ属性）、ＶＴＳ２＿Ｖ＿ＡＴＲ＃１〜＃ｍ（ＶＴＳ２  Ｖｉｄｅｏ  Ａｔｔｒｉｂｕｔｅｓ：ＶＴＳ２ビデオ属性）、及びその他の情報を含むテーブルからなる。
【０１１１】
「ＶＭＧ２Ｉ＿ＩＤ」は、当該ＶＭＧ２Ｉの識別情報である。これは、例えば、“ＤＶＤ  Ｖｉｄｅｏ  ＶＭＧ２”、即ち、ＤＶＤビデオのＶＭＧ２である旨を示し、つまり、新規或いは新型の“ＶＭＧ２”であることを示すための情報である。
【０１１２】
「ＶＥＲＮ」は、“ＶＭＧ２”１２０のバージョン番号を示す情報である。より具体的には、例えば、ＶＭＧ２のバージョン番号として“Ｖｅｒ２．０”が記述される。この“Ｖｅｒ２．０”は、ＭＰＥＧ４で当該“ＶＭＧ２”により管理するＶＴＳ２＃ｊ１２１（図２参照）が、圧縮符号化されていること、即ち、再生時にＭＰＥＧ４に準拠して復号化処理を行えば再生可能である旨を示す。
【０１１３】
「ＶＴＳ＿Ｎｓ」は、ＶＴＳ＃ｉ１１１の総数（ｎ）を示す情報である。仮に、光ディスク１００上における前述の第１ビデオゾーンにＶＴＳ＃ｉ１１１が一つも存在しなければ、総数“０”が記述され、これにより、ＶＴＳ＃ｉ１１１が存在しない旨を示す。
【０１１４】
「ＶＴＳ２＿Ｎｓ」は、ＶＴＳ２＃ｊ１２１の総数（ｎ）を示す情報である。即ち、バージョン２．０分のＶＴＳ２がいくつ存在するかを示す。
【０１１５】
「ＴＴ＿ＳＲＰＴ２スタートアドレス」は、“ＴＴ＿ＳＲＰＴ２”１２５のスタートアドレスを示す情報である。即ち、ＶＭＧ２Ｉのデータ長が可変長であっても、いずれのアドレスから“ＴＴ＿ＳＲＰＴ２”１２５が記述されているかの判別を可能ならしめる情報である。
【０１１６】
「ＶＭＧＭ２＿Ｖ＿ＡＴＲ」は、“ＶＭＧメニュー２”を構成するビデオ情報の属性情報であり、例えば、“１０”の時、ビデオ情報がＭＰＥＧ４で圧縮符号化されていることを示す。
【０１１７】
「ＶＴＳ＿Ｖ＿ＡＴＲ＃１〜＃ｎ」は、夫々対応するＶＴＳ＃１〜＃ｎを構成するビデオ情報の属性情報であり、例えば、“００”の時、かかるビデオ情報がＭＰＥＧ１で圧縮符号化されていることを示し、“０１”の時、ビデオ情報がＭＰＥＧ２で圧縮符号化されているのかを示す。
【０１１８】
「ＶＴＳ２＿Ｖ＿ＡＴＲ＃１〜＃ｍ」は、夫々対応するＶＴＳ＃１〜＃ｍを構成するビデオ情報の属性情報であり、例えば、“１０”の時、ビデオ情報がＭＰＥＧ４で圧縮符号化されていることを示す。
【０１１９】
尚、図６において、ＶＭＧ２Ｉ＿ＭＡＴ及び“ＴＴ＿ＳＲＰＴ２”１２５と共にＶＭＧ２Ｉに含まれる「その他の情報」は、例えば、ＶＭＧ２Ｉ＿ＭＡＴ、“ＴＴ＿ＳＲＰＴ２”１２５等のテーブルのアドレス情報や、パレンタル、テキスト情報等である。
【０１２０】
図７に示すように、図６に示した“ＴＴ＿ＳＲＰＴ２”１２５は、当該“ＶＭＧ２”１２０が管理する各タイトルにアクセスするための管理情報テーブルである。“ＴＴ＿ＳＲＰＴ２”１２５は、当該“ＴＴ＿ＳＲＰＴ２”１２５に関する各種論理情報であるＴＴ＿ＳＲＰＴ２Ｉ（ＴＴ＿ＳＲＰＴ  ２  Ｉｎｆｏｒｍａｔｉｏｎ：ＴＴ＿ＳＲＰＴ２情報）と、タイトル毎に設けられたＴＴ＿ＳＲＰ２（タイトル・サーチポインタ）＃１、ＴＴ＿ＳＲＰ２＃２、…、ＴＴ＿ＳＲＰ２＃ｑとを含んでなる。
【０１２１】
「ＴＴ＿ＳＲＰＴ２Ｉ」は、図７中右部に示すように、“ＶＭＧ２”１２０が管理するタイトルの総数を示す総数情報の一例たる、ＴＴ＿ＳＲＰ２＿Ｎｓ（ＴＴ＿ＳＲＰ  ２  Ｎｕｍｂｅｒｓ：タイトル・サーチポインタ２総数）と、“ＴＴ＿ＳＲＰＴ２”１２５のエンドアドレスを示す情報であるＴＴ＿ＳＲＰＴ２＿ＥＡ（ＴＴ＿ＳＲＰＴ  ２  Ｅｎｄ  Ａｄｄｒｅｓｓ：タイトル・サーチポインタテーブル２エンドアドレス）とを含んでなる。
【０１２２】
本実施例では特に、「ＴＴ＿ＳＲＰ２＿Ｎｓ」は、ＶＴＳ２＃ｊ１２１内の全てのタイトルのみならず、ＶＴＳ＃ｉ１１１内の全てのタイトルの総数を示す情報である。
【０１２３】
「ＴＴ＿ＳＲＰ２＃ｌ（ｌ＝１、…、ｑ）」は夫々、図７中右部に示すように、本発明に係る「識別情報」の一例としてのＴＴ＿ＴＹ＿ＩＤ（Ｔｉｔｌｅ  ＴｙｐｅＩＤ：タイトル・タイプ識別情報）と、例えば分岐型であるなど当該タイトルの型を示す情報であるＴＴ＿ＰＢ＿ＴＹ２（Ｔｉｔｌｅ  Ｐｌａｙ  Ｂａｃｋ  Ｔｙｐｅ  ２：タイトル・プレイバック・タイプ２）と、当該タイトルが格納されているＶＴＳ番号又はＶＴＳ２番号を示す情報であるＶＴＳＮ（ＶＴＳ  Ｎｕｍｂｅｒ：ＶＴＳ番号）又はＶＴＳＮ２（ＶＴＳ  Ｎｕｍｂｅｒ  ２：ＶＴＳ番号２）と、当該タイトルの格納されているＶＴＳ中又はＶＴＳ２中におけるＶＴＳタイトル番号又はＶＴＳ２タイトル番号を示す情報であるＶＴＳ＿ＴＴＮ（ＶＴＳ  Ｔｉｔｌｅ  Ｎｕｍｂｅｒ：ＶＴＳタイトル番号）とを含んでなる。「ＴＴ＿ＳＲＰ＃ｌ（ｋ＝１、…、ｑ）」は更に、例えば該当するＶＴＳアドレス又はＶＴＳ２アドレスや、タイトルのパレンタルやアングル数など、当該タイトルのための総合情報等を含むその他の情報を含んでなる。
【０１２４】
「ＴＴ＿ＴＹ＿ＩＤ」は、当該ＴＴ＿ＳＲＰ２＃ｌ（ｋ＝１、…、ｑ）により指定されるタイトルが、旧型のタイトル（即ち、バージョン１．Ｘのタイトル、以下同様）であるのか又は新型のタイトル（即ち、バージョン２．０のタイトル、以下同様）であるのかを示す識別情報である。従って、光ディスク１００の再生時には、このＴＴ＿ＴＹ＿ＩＤを参照することで、各ＴＴ＿ＳＲＰ２＃ｌ（ｋ＝１、…、ｑ）内に、ＶＴＳＮ（ＶＴＳ  Ｎｕｍｂｅｒ：ＶＴＳ番号）又はＶＴＳＮ２（ＶＴＳ  Ｎｕｍｂｅｒ  ２：ＶＴＳ番号２）のいずれが記述されているのかが識別される。或いはこれに代えて又は加えて、各ＴＴ＿ＳＲＰ２＃ｌ（ｋ＝１、…、ｑ）内に記述されたＶＴＳ＿ＴＴＮが、ＶＴＳタイトル番号を示すのか又はＶＴＳ２タイトル番号を示すのかが、識別される。
【０１２５】
次に図８に示すように、ＶＴＳ２＃ｊ１２１は、ＶＴＳ２Ｉ（ＶＴＳ２  Ｉｎｆｏｒｍａｔｉｏｎ：ＶＴＳ２情報）と、ＶＴＳＭ２＿ＶＯＢ（ＶＴＳ  Ｍｅｎｕ  ２  Ｖｉｄｅｏ  Ｏｂｊｅｃｔ：ＶＴＳメニュー２ビデオオブジェクト）と、ＶＴＳ２＿ＶＯＢ（ＶＴＳ２  Ｖｉｄｅｏ  Ｏｂｊｅｃｔ：ＶＴＳ２ビデオオブジェクト）１２６と、ＶＴＳ２ＩのバックアップファイルであるＶＴＳ２Ｉ＿ＢＵＰ（ＶＴＳ２Ｉ  Ｂａｃｋ  Ｕｐ：ＶＴＳ２情報バックアップ）とを含んでなる。
【０１２６】
「ＶＴＳ２Ｉ」は、ＶＴＳ２Ｉ＿ＭＡＴ（ＶＴＳ２Ｉ  Ｍａｎａｇｅｍｅｎｔ  Ｔａｂｌｅ：ＶＴＳ２Ｉマネージメントテーブル）、その他の情報及びＶＴＳ２内情報を含んでなる。
【０１２７】
このようなＶＴＳ２Ｉには、ＶＴＳ内情報或いはその他の情報として、例えばＶＴＳＩの場合と同じく、複数のセルを組合わせた論理的区分であるプログラムチェインに関する種々の情報であるＰＧＣＩ等の情報が記録される。そして、各ＶＴＳ２＿ＶＯＢ１２６には、例えば、各種の制御情報の他に、映像情報及び音声情報の実体部分が記録される。セル及びＰＧＣＩについては、後述する（図１２及び図１３参照）。
【０１２８】
また、「ＶＴＳ２Ｉ＿ＭＡＴ」は、ＶＴＳ２＿ＩＤ（ＶＴＳ２識別情報）、ＶＥＲＮ（Ｖｅｒｓｉｏｎ  Ｎｕｍｂｅｒ：バージョン番号）、ＶＴＳＭ２＿Ｖ＿ＡＴＲ（ＶＴＳＭ２  Ｖｉｄｅｏ  Ａｔｔｒｉｂｕｔｅ：ＶＴＳＭ２ビデオ属性）、ＶＴＳ２＿Ｖ＿ＡＴＲ（ＶＴＳ２  Ｖｉｄｅｏ  Ａｔｔｒｉｂｕｔｅ：ＶＴＳ２ビデオ属性）、及びその他の情報を含むテーブルからなる。
【０１２９】
「ＶＴＳ２Ｉ＿ＩＤ」は、当該ＶＴＳ２Ｉの識別情報である。これは、例えば、“ＤＶＤ  Ｖｉｄｅｏ  ＶＴＳ２”、即ち、ＤＶＤビデオのＶＴＳ２である旨を示し、つまり、新規或いは新型のＶＴＳであることを示すための情報である。
【０１３０】
「ＶＥＲＮ」は、“ＶＴＳ２”のバージョン番号を示す情報である。より具体的には、例えば、“ＶＴＳ２”のバージョン番号として“Ｖｅｒ２．０”が記述される。この“Ｖｅｒ２．０”は、例えば、ＭＰＥＧ４で当該“ＶＭＧ２”により管理するＶＴＳ＃ｊ１２１が、圧縮符号化されていること、即ち、再生時にＭＰＥＧ４に準拠して復号化処理を行えば再生可能である旨を示す。
【０１３１】
「ＶＴＳＭ２＿Ｖ＿ＡＴＲ」は、“ＶＴＳメニュー２”を構成するビデオ情報の属性情報であり、例えば、“１０”の時、ビデオ情報がＭＰＥＧ４で圧縮符号化されていることを示す。
【０１３２】
「ＶＴＳ２＿Ｖ＿ＡＴＲ」は、当該ＶＴＳ２＃ｊ１２１を構成する（即ち、一つのＶＴＳを構成する）ビデオ情報の属性情報であり、例えば、“１０”の時、ビデオ情報がＭＰＥＧ４で圧縮符号化されていることを示す。
【０１３３】
尚、図８において「ＶＴＳ２＿Ｖ＿ＡＴＲ」に続く「その他の情報」は、例えば、ＶＴＳ＿ＶＯＢにアクセスするために必要な情報等である。
【０１３４】
以上図１から図８に説明したように、本実施例では、新型タイトルは、ＶＴＳ２＃ｊ１２１に格納され、旧型タイトルは、ＶＴＳ＃ｉ１１１に格納される。このため、データのダブり書きはなく、効率的なデータ格納が可能となる。しかも、“ＶＭＧ２”１２０は、ＶＴＳ２＃ｊ１２１のみならず、ＶＴＳ＃ｉ１１１までも、管理制御する管理情報であるので、これを参照することで、光ディスク１００の再生時には、旧型タイトルと新型タイトルとの効率的な再生制御が可能となる。
【０１３５】
次に図９から図１１を参照して、光ディスク１００に記録される複数のタイトルの具体的な構成例について説明する。ここに、図９は、タイトルの構成の一具体例を示すテーブルである。図１０は、図９に示した具体例の場合の、ＴＴ＿ＳＲＰＴ内におけるデータ構造の詳細を模式的に示すものである。図１１は、図９に示した具体例の場合の、ＴＴ＿ＳＲＰＴ２内におけるデータ構造の詳細を模式的に示すものである。
【０１３６】
図９に示すように、光ディスク１００には、５つのタイトルＡ〜Ｅが記録されているものとする。そして、タイトルＡ、Ｃ及びＤは夫々、バージョン１．Ｘの旧型のタイトルである。即ち、これらは夫々、例えばＭＰＥＧ２により圧縮符号化されたビデオ情報から構成されている。他方、タイトルＢ及びＥは夫々、バージョン２．０の新型のタイトルである。即ち、これらは夫々、例えばＭＰＥＧ４により圧縮符号化されたビデオ情報から構成されている。
【０１３７】
ここで図１０に示すように、ＶＴＳ＃ｉ１１１として記録された旧型のタイトルＡ、Ｃ及びＤは、図２から図５を参照して説明した第１管理情報の一例たるＶＭＧ１１０によって、管理制御されている。より具体的には、ＴＴ＿ＳＲＰＴ１１５上で、タイトルＡは、ＴＴ＿ＳＲＰ＃１によりアドレス等が特定されることで、ＶＭＧ１１０により管理制御される。タイトルＤは、ＴＴ＿ＳＲＰ＃２によりアドレス等が特定されることで、ＶＭＧ１１０により管理制御される。タイトルＣは、ＴＴ＿ＳＲＰ＃３によりアドレスが特定されることで、ＶＭＧ１１０により管理制御される。
【０１３８】
この際、図１０中右部において、ＴＴ＿ＳＲＰ＿Ｎｓには、総数＝３であることを示す情報が記述される。また、図中例示するように、タイトルＡを特定するＴＴ＿ＳＲＰ＃１内においては、ＶＴＳＮは、ＶＴＳ番号として例えばＶＴＳ＃２と記述され、ＶＴＳ＿ＴＴＮには、ＶＴＳタイトル番号として例えばＶＴＳ＃２＿ＴＴＮ＃１と記述される。
【０１３９】
他方、図１１に示すように、ＶＴＳ＃ｉ１１１として記録された旧型のタイトルＡ、Ｃ及びＤ並びにＶＴＳ２＃ｊ１２１として記録された新型のタイトルＢ及びＥは、図２及び図６から図８を参照して説明した第２管理情報の一例たる“ＶＭＧ２”１２０によって、管理制御されている。より具体的には、“ＴＴ＿ＳＲＰＴ２”１２５上で、新型のタイトルＢは、ＴＴ＿ＳＲＰ２＃１によりアドレス等が特定されることで、“ＶＭＧ２”１２０により管理制御される。旧型のタイトルＡは、ＴＴ＿ＳＲＰ２＃２によりアドレス等が特定されることで、“ＶＭＧ２”１２０により管理制御される。旧型のタイトルＣは、ＴＴ＿ＳＲＰ２＃３によりアドレス等が特定されることで、“ＶＭＧ２”１２０により管理制御される。新型のタイトルＥは、ＴＴ＿ＳＲＰ２＃４によりアドレス等が特定されることで、“ＶＭＧ２”１２０により管理制御される。旧型のタイトルＤは、ＴＴ＿ＳＲＰ２＃５によりアドレス等が特定されることで、“ＶＭＧ２”１２０により管理制御される。
【０１４０】
この際、図１１中右部において、ＴＴ＿ＳＲＰ２＿Ｎｓには、総数＝５であることを示す情報が記述される。また、図中例示するように、タイトルＢを特定するＴＴ＿ＳＲＰ２＃１内においては、ＴＴ＿ＴＹ＿ＩＤは、新型タイトルなので、例えば“００１０００００ｂ”と記述される。ＶＴＳＮ又はＶＴＳＮ２には、ＶＴＳ２番号として例えばＶＴＳ２＃１と記述され、ＶＴＳ＿ＴＴＮには、ＶＴＳ２タイトル番号として例えばＶＴＳ２＃１＿ＴＴＮ＃１と記述される。そして、このＶＴＳ＿ＴＴＮに続くその他の情報には、例えばＶＴＳ２＃１のアドレスや、当該新型タイトルにおけるパレンタルやアングル数などが記述される。更に、図中例示するように、タイトルＤを特定するＴＴ＿ＳＲＰ２＃５内においては、ＴＴ＿ＴＹ＿ＩＤは、旧型タイトルなので、例えば“０００１００００ｂ”と記述される。ＶＴＳＮ又はＶＴＳＮ２には、ＶＴＳ番号として例えばＶＴＳ＃２と記述され、ＶＴＳ＿ＴＴＮには、ＶＴＳタイトル番号として例えばＶＴＳ＃２＿ＴＴＮ＃２と記述される。そして、このＶＴＳ＿ＴＴＮに続くその他の情報には、例えばＶＴＳ＃２のアドレスや、当該旧型タイトルにおけるパレンタルやアングル数などが記述される。
【０１４１】
次に図１２を参照して、前述したＶＯＢ（即ち、図５に示したＶＴＳ＿ＶＯＢ１１６又は図８に示したＶＴＳ２＿ＶＯＢ１２６）の物理フォーマットについて、“セル”と共に説明する。ここに、図１２は、本実施例に係るＶＯＢにおけるデータ構造（物理フォーマット）を概念的に示したものである。
【０１４２】
図１２に示すように、各ＶＯＢは、ＩＤ番号（ＶＯＢＩＤ＃１、＃２、…）を有する。各ＶＯＢは、夫々にＩＤ番号を有する複数のセル２０により構成されている。一つのセル２０は、夫々にＩＤ番号を有する複数のＶＯＢユニット（ＶＯＢＵ）３０により構成されている。ここで、ＶＯＢＵ３０とは、映像情報、音声情報及び副映像情報（映画における字幕等の副映像の情報をいう。）のいずれか又は後述のナビパックのみにより構成される、情報再生装置によってアクセス可能な、一つの情報単位である。一つのＶＯＢＵ３０は、ＶＯＢＵ３０に含まれる映像情報等を制御対象とする制御情報が格納されているナビパック４１と、映像情報としてのビデオデータを含むビデオパック４２と、音声情報としてのオーディオデータを含むオーディオパック４３と、副映像情報としてのサブピクチャデータを含むサブピクチャパック４４とを含んで構成されている。各パックの先頭に記録されるパックヘッダには、夫々のパックに含まれているデータを後述の再生装置におけるトラックバッファから読み出して夫々のバッファへの入力を開始すべき再生時間軸上の読み出し開始時刻を示すＳＣＲ（Ｓｙｓｔｅｍ  Ｃｌｏｃｋ  Ｒｅｆｅｒｅｎｃｅ）と呼ばれる読み出し開始時刻情報や、パックの開始であることを示すスタートコード等が記録される。ナビパック４１は、再生表示させたい映像又は音声等を検索するための検索情報であるＤＳＩ（Ｄａｔａ  Ｓｅａｒｃｈ  Ｉｎｆｏｒｍａｔｉｏｎ）データ５１と、ＤＳＩデータ５１に基づいて検索された映像又は音声を再生表示する際の再生表示制御に関する情報であるＰＣＩ（Ｐｒｅｓｅｎｔａｔｉｏｎ  Ｃｏｎｔｒｏｌ  Ｉｎｆｏｒｍａｔｉｏｎ）データ５０とにより構成される。
【０１４３】
本実施例では、旧型のＶＴＳ＿ＶＯＢ１１６の場合には、例えば、ビデオパック４２は、一又は複数のＧＯＰ（Ｇｒｏｕｐ  Ｏｆ  Ｐｉｃｔｕｒｅ）により構成されている。上記ＧＯＰは、ＭＰＥＧ２に準拠した、単独で再生可能な最小の画像単位である。他方、新型のＶＴＳ２＿ＶＯＢ１２６の場合には、例えば、ビデオパック４２は、ＭＰＥＧ４方式に準拠した画像単位により構成されている。
【０１４４】
次に図１３を参照して、光ディスク１００の論理フォーマット（論理構造）について、“ＰＧＣＩ”と共に説明する。ここに図１３は、本実施例に係る光ディスクにおける論理構造（論理フォーマット）を概念的に示したものである。
【０１４５】
説明の便宜上、図１３の下位の階層から説明していくと、上述の如き物理構造（図１２参照）のうち、複数のセル２０を選択して組合わせることにより、一つのプログラム６０が論理上構成される。なお、このプログラム６０を一又は複数個纏めたものを視聴者が自由に選択して視聴することができる最小単位として製作者が定義することもでき、この単位をＰＴＴ（Ｐａｒｔ  ｏｆ  Ｔｉｔｌｅ）という。複数のプログラム６０を組合わせて一つのＰＧＣ（Ｐｒｏｇｒａｍ  Ｃｈａｉｎ）６１が論理上構成される。このＰＧＣ６１の単位で、前述したＰＧＣＩが定義され、当該ＰＧＣＩには、夫々のプログラム６０を再生する際の各プログラム６０毎のセル２０の再生順序、夫々のセル２０の光ディスク１００上の記録位置であるアドレス、一つのプログラム６０における再生すべき先頭セル２０の番号、などが含まれている。一つのＰＧＣ６１には、上記ＰＧＣＩの他に、実体的な映像及び音声等のデータがプログラム６０の組合わせとして（換言すれば、セル２０の組合わせとして）含まれることとなる。一又は複数のＰＧＣ６１により、一つのタイトル６２が論理上構成される。
【０１４６】
本実施例では、このように構成された一又は複数のタイトル６２により、旧型のタイトルであれば、一つのＶＴＳ＃ｉ１１１が論理上構成される。他方、新型のタイトルであれば、一つのＶＴＳ２＃ｊ１２１が論理上構成される。
【０１４７】
（情報再生装置の実施例）
次に図１４から図１８を参照して、本発明に係る情報再生装置の実施例について説明する。
【０１４８】
先ず図１４を参照して情報再生装置の構成及び動作について説明する。ここに、図１４は、情報再生装置の実施例のブロック図である。本実施例において、情報再生装置は、ＤＶＤプレーヤとして構築されている。
【０１４９】
図１４において、情報再生装置は、ピックアップ８０と、復調訂正部８１と、ストリームスイッチ８２及び８４と、トラックバッファ８３と、システムバッファ８５と、デマルチプレクサ８６と、ＶＢＶ（Ｖｉｄｅｏ  Ｂｕｆｆｅｒ  Ｖｅｒｉｆｉｅｒ  ）バッファ８７と、ビデオデコーダ８８と、サブピクチャバッファ８９と、サブピクチャデコーダ９０と、混合器９１と、オーディオバッファ９２と、オーディオデコーダ９３と、入力部９８と、ディスプレイ９９と、システムコントローラ２００と、ドライブコントローラ２０１と、スピンドルモータ２０２と、スライダモータ２０３とを備えて構成されている。
【０１５０】
本実施例では特に、ビデオデコーダ８８は、ＭＰＥＧ２デコーダ８８ａ及びＭＰＥＧ４デコーダ８８ｂ、並びにこれら両デコーダへのビデオ信号Ｓｖの入力を切り替える切替スイッチ８８ｃを備えて構成されている。そして、切替スイッチ８８ｃは、システムコントローラ２００により生成出力される制御信号Ｓｃｖｄに応じて切替制御される。
【０１５１】
尚、図１４に示す構成は、ビデオＤＶＤプレーヤとして構築された情報再生装置における構成のうち、映像及び音声の再生に関する部分のみを記載したものであり、例えばピックアップ８０、スピンドルモータ２０２、スライダモータ２０３等をサーボ制御するためのサーボ回路等は従来技術と同様であるので、記載及び細部説明を省略する。
【０１５２】
次に図１４を参照して、本実施例の情報再生装置における各構成要素の詳細構成と共に、本実施例の基本的な動作について説明する。
【０１５３】
ピックアップ８０は、図示しないレーザダイオード、ビームスプリッタ、対物レンズ、光検出器等を含み、光ディスク１００に対して再生光としての光ビームＢを照射すると共に、当該光ビームＢの光ディスク１００からの反射光を受光し、光ディスク１００上に形成されている情報ピットに対応する検出信号Ｓｐを出力する。このとき、光ビームＢが光ディスク１００上の情報トラックに対して正確に照射されると共に、光ディスク１００上の情報記録面で正確に焦点を結ぶように、図示しない対物レンズに対して従来技術と同様の方法によりトラッキングサーボ制御及びフォーカスサーボ制御が施されている。
【０１５４】
ピックアップ８０から出力された検出信号Ｓｐは、復調訂正部８１に入力され、復調処理及び誤り訂正処理が行われて復調信号Ｓｄｍが生成され、ストリームスイッチ８２及びシステムバッファ８５に出力される。
【０１５５】
復調信号Ｓｄｍが入力されたストリームスイッチ８２は、ドライブコントローラ２０１からのスイッチ信号Ｓｓｗ１によりその開閉が制御され、閉のときには、入力された復調信号Ｓｄｍをそのままスルーしてトラックバッファ８３に出力する。一方、ストリームスイッチ８２が開のときには、復調信号Ｓｄｍは出力されず、不要な情報（信号）がトラックバッファ８３に入力されることがない。
【０１５６】
復調信号Ｓｄｍが入力されるトラックバッファ８３は、ＦＩＦＯ（Ｆｉｒｓｔ  Ｉｎ  Ｆｉｒｓｔ  Ｏｕｔ）メモリ等により構成され、入力された復調信号Ｓｄｍを一時的に記憶すると共に、ストリームスイッチ８４が閉とされているときには、記憶した復調信号Ｓｄｍを連続的に出力する。
【０１５７】
連続的に復調信号Ｓｄｍが入力されるストリームスイッチ８４は、デマルチプレクサ８６における分離処理において、後段の各種バッファがオーバーフローしたり、逆に空になってデコード処理が中断することがないように、システムコントローラ２００からのスイッチ信号Ｓｓｗ２  により開閉が制御される。
【０１５８】
一方、トラックバッファ８３と並行して復調信号Ｓｄｍが入力されるシステムバッファ８５は、光ディスク１００をローディングしたときに最初に検出される、光ディスク１００に記録されている情報全体に関する管理情報（即ち、ＶＭＧ、ＶＭＧ２等）などを蓄積して、制御情報Ｓｃ  としてシステムコントローラ２００に出力すると共に、再生中にナビパック４１毎のＤＳＩデータ５１を一時的に蓄積し、システムコントローラ２００に制御情報Ｓｃとして出力する。
【０１５９】
ストリームスイッチ８４を介して復調信号Ｓｄｍが連続的に入力されたデマルチプレクサ８６においては、当該復調信号Ｓｄｍから各パック毎にビデオデータ、オーディオデータ、サブピクチャデータ及びナビパック毎のＰＣＩデータを抽出し、ビデオ信号Ｓｖ  、副映像信号Ｓｓｐ、オーディオ信号Ｓａｄ並びにＰＣＩ信号Ｓｐｃとして、夫々ＶＢＶバッファ８７、サブピクチャバッファ８９、及びオーディオバッファ９２に出力する。
【０１６０】
ビデオ信号Ｓｖ  が入力されるＶＢＶバッファ８７は、ＦＩＦＯメモリ等により構成され、ビデオ信号Ｓｖを一時的に蓄積し、ビデオデコーダ８８に出力する。ＶＢＶバッファ８７は、例えばＭＰＥＧ２方式等により圧縮されているビデオ信号Ｓｖ  における各ピクチャ毎のデータ量のばらつきを補償するためのものである。そして、データ量のばらつきが補償されたビデオ信号Ｓｖ  がビデオデコーダ８８に入力される。
【０１６１】
本実施例では特に、旧型のタイトルを再生する際には、上述した属性情報に基づくシステムコントローラ２００による制御下で、制御信号Ｓｃｖｄにより切替スイッチ８８ｃが切り替えられることで、ＭＰＥＧ１／２デコーダ８８ａが用いられる。そして、ＭＰＥＧ１又はＭＰＥＧ２に準拠してのビデオ信号Ｓｖの復調が適切に行われて、復調ビデオ信号Ｓｖｄとして混合器９１に出力される。一方、新型のタイトルを再生する際には、上述した属性情報に基づくシステムコントローラ２００による制御下で、制御信号Ｓｃｖｄにより切替スイッチ８８ｃが切り替えられることで、ＭＰＥＧ４デコーダ８８ｂが用いられる。そして、ＭＰＥＧ４に準拠してのビデオ信号Ｓｖの復調が適切に行われて、復調ビデオ信号Ｓｖｄとして混合器９１に出力される。
【０１６２】
一方、副映像信号Ｓｓｐが入力されるサブピクチャバッファ８９は、入力された副映像信号Ｓｓｐを一時的に蓄積し、サブピクチャデコーダ９０に出力する。サブピクチャバッファ８９は、副映像信号Ｓｓｐに含まれるサブピクチャデータ４４を、当該サブピクチャデータ４４に対応するビデオデータ４２と同期して出力するためのものである。そして、ビデオデータ４２との同期が取られた副映像信号Ｓｓｐがサブピクチャデコーダ９０に入力される。ここでは、システムコントローラ２００から出力される制御信号Ｓｃｈに基づいて、復調が行われ、復調副映像信号Ｓｓｐｄとして混合器９１に出力される。
【０１６３】
ビデオデコーダ８８から出力された復調ビデオ信号Ｓｖｄ及びサブピクチャデコーダ９０から出力された復調副映像信号Ｓｓｐｄ  （対応する復調ビデオ信号Ｓｖｄとの同期が取れている。）は、混合器９１により混合され、最終的な表示すべき映像信号Ｓｖｐとして図示しないＣＲＴ（Ｃａｔｈｏｄｅ  Ｒａｙ  Ｔｕｂｅ  ）、ＬＣＤ（液晶ディスプレイ）、ＰＤＰ（プラズマディスプレイ）等の表示部に出力される。
【０１６４】
オーディオ信号Ｓａｄが入力されるオーディオバッファ９２は、ＦＩＦＯメモリ等により構成され、入力されたオーディオ信号Ｓａｄを一時的に蓄積し、オーディオデコーダ９３に出力する。オーディオバッファ９２は、オーディオ信号Ｓａｄを対応する映像情報を含むビデオ信号Ｓｖ  又は副映像信号Ｓｓｐに同期して出力させるためのものであり、対応する映像情報の出力状況に応じてオーディオ信号Ｓａｄを遅延させる。そして、対応する映像情報と同期するように時間調整されたオーディオ信号Ｓａｄは、オーディオデコーダ９３に出力され、システムコントローラ２００から出力される制御信号Ｓｃａに基づいて、リニアＰＣＭ方式における再生処理が施されて復調オーディオ信号Ｓａｄｄとして図示しないスピーカ等に出力される。
【０１６５】
次に、図１５を参照して、例えばバージョン２．０の新型のタイトル及びバージョン１．Ｘの旧型のタイトルの両者を再生可能である情報再生装置（図１４参照）により、光ディスク１００を再生する場合における再生サブルーチンついて説明する。ここに、図１５は、その動作を示すフローチャートである。尚、本実施例におけるこのような動作制御は、主にシステムコントローラ２００により実行されるものである。
【０１６６】
図１５において、初期状態として、ユーザは再生しようとする光ディスクのディスクジャケットを見て、視聴したいタイトル番号を既に理解している状態にあるものとする。以下、ユーザがかかるディスクを情報再生装置にセットして、タイトル選択キーを操作した以降における再生サブルーチンに係る動作について説明する。
【０１６７】
先ず、入力部９８によって、タイトル＃ｎの選択が行われると（ステップＳ１１）、ＶＭＧ２が光ディスク１００上に記録されているか否かが判定される（ステップＳ１２）。即ち、新型のタイトルが記録された光ディスクであるか否かが判定される。ここで、ＶＭＧ２が記録されていなければ（ステップＳ１１：Ｎｏ）、ＶＭＧが光ディスク１００上に記録されているか否かが判定される（ステップＳ１３）。即ち、新型のタイトルが記録されておらず且つ旧型のタイトルが記録された光ディスクであるか否かが判定される。ここで、ＶＭＧが記録されていなければ（ステップＳ１３：Ｎｏ）、光ディスク１００の再生は不可能であるので、一連の処理は停止される。この場合、例えば、再生不能のメッセージが映像又は音声出力されるなどの所定の停止処理が実行される。なお、ＶＭＧおよびＶＭＧ２の判定には、ファイルシステム１０１内にその存在を示すファイル名が記録されているか否かを見たり、ファイルシステムの更に内周側に記録されているリードインエリア内のディスク物理情報を見るなどして、判断することができる。
【０１６８】
他方、ステップＳ１３の判定の結果、ＶＭＧが記録されていれば（ステップＳ１３：Ｙｅｓ）、当該記録されている図３に示した如きＶＭＧに従って、例えば、従来のバージョン１．Ｘ準拠のＤＶＤプレーヤと同様の再生動作が行われる。即ち、第１管理情報の一例たるＶＭＧに基づいて、第１実体情報の一例たるＶＴＳの再生が行われる（ステップＳ１４）。
【０１６９】
他方、ステップＳ１２の判定の結果、ＶＭＧ２が記録されていれば（ステップＳ１２：Ｙｅｓ）、当該記録されている図６に示した如きＶＭＧ２を参照し（ステップＳ１５）、更に、ＶＭＧ２中の図７に示した如き“ＴＴ＿ＳＲＰＴ２”から、ステップＳ１１で選択されたタイトル＃ｎに係る“ＴＴ＿ＳＲＰ２＃ｎ”を参照する（ステップＳ１６）。
【０１７０】
続いて、図７に示した如き“ＴＴ＿ＳＲＰＴ２＃ｎ”中の“ＴＴ＿ＴＹ＿ＩＤ”に基づいて、当該タイトル＃ｎが新型であるか又は旧型であるかの判定、即ち新旧タイプの判定が行われる（ステップＳ１７）。
【０１７１】
ここで、新型のタイトルであれば（ステップＳ１７：Ｙ）、“ＴＴ＿ＳＲＰＴ２＃ｎ”に従って、新型のタイトル＃ｎに該当するＶＴＳ２＃Ｘに対して、アクセスが行われた後（ステップＳ１８）、新型のタイトル＃ｎの再生が実行される（ステップＳ１９）。他方、旧型のタイトルであれば（ステップＳ１７：Ｎ）、“ＴＴ＿ＳＲＰＴ２＃ｎ”に従って、旧型のタイトル＃ｎに該当するＶＴＳ＃Ｙに対して、アクセスが行われた後（ステップＳ２０）、旧型のタイトル＃ｎの再生が実行される（ステップＳ１９）。そして、新型又は旧型のタイトルの再生後に、一連の再生処理を終了する。
【０１７２】
次に、図１６を参照して、例えばバージョン２．０の新型のタイトルを再生不可能であり且つバージョン１．Ｘの旧型のタイトルを再生可能である情報再生装置により、光ディスク１００を再生する場合における再生サブルーチンについて説明する。ここに、図１６は、その動作を示すフローチャートである。
【０１７３】
このような情報再生装置は、図１４に示した装置構成において、ビデオデコーダ８８が、ＭＰＥＧ４デコーダ８８ｂを有せず且つＭＰＥＧ２デコーダ８８ａを有するように構成されたものである。この場合、切替スイッチ８８ｃは必要なく且つシステムコントローラ２００による制御信号Ｓｃｖｄの生成出力も必要ない。
【０１７４】
図１６において、初期状態として、当該情報再生装置にロードされた光ディスク１００の認識及びファイルシステム１０１（図２参照）によるボリューム構造やファイル構造の認識は、既に終了しているものとする。そして、ＶＭＧ又はＶＴＳを用いたディスクメニュー、タイトルメニュー等のメニュー画面が表示されているものとする。特に、ここでは、旧型のタイトルをユーザが選択可能なメニュー画面が、ディスプレイに表示されている状態にあるものとする。以下、このメニュー画面上で、ユーザによる所望タイトルの選択を受け付ける以降における再生サブルーチンに係る動作について説明する。
【０１７５】
先ず、入力部によって、タイトル＃ｎの選択が行われる（ステップＳ２１）。続いて、ＶＭＧが光ディスク上に記録されているか否かが判定される（ステップＳ２２）。即ち、旧型のタイトルが記録された光ディスクであるか否かが判定される。ここで、ＶＭＧが記録されていなければ（ステップＳ２２：Ｎｏ）、光ディスクの再生は不可能であるので、一連の処理は停止される。この場合、例えば、再生不能のメッセージが映像又は音声出力されるなどの所定の停止処理が実行される。
【０１７６】
他方、ステップＳ２２の判定の結果、ＶＭＧが記録されていれば（ステップＳ２２：Ｙｅｓ）、当該記録されている図３に示した如きＶＭＧを参照し（ステップＳ２３）、更に、ＶＭＧ中の図４に示した如き“ＴＴ＿ＳＲＰＴ”から、ステップＳ２１で選択されたタイトル＃ｍに係る“ＴＴ＿ＳＲＰ＃ｍ”を参照する（ステップＳ２４）。
【０１７７】
続いて、“ＴＴ＿ＳＲＰＴ＃ｍ”に従って、旧型のタイトル＃ｍに該当するＶＴＳ＃Ｚに対して、アクセスが行われた後（ステップＳ２５）、旧型のタイトル＃ｍの再生が実行される（ステップＳ２６）。そして、旧型のタイトルの再生後に、一連の再生処理を終了する。
【０１７８】
次に、図１７及び図１８を参照して、本実施例における旧型タイトルや新型タイトルが記録された各種の光ディスクと、各種の情報再生装置との関係について説明する。ここに、図１７は、本実施例において、各種ディスクを各種プレーヤによって再生する際に、再生可能な組合せを示すテーブルであり、図１８は、本実施例で再生可能な各種光ディスクの具体例におけるデータ構造を夫々示す概念図である。
【０１７９】
図１７のテーブル中の上段に示すように、バージョン（Ｖｅｒ）１．Ｘ準拠の旧型のタイトルのみが記録された光ディスクは、ＶＭＧ及びＶＴＳを有する。そして、ＶＭＧ２やＶＴＳ２は有しない。より具体的には、このような光ディスクは、図１８（ａ）に示すデータ構造を有する。即ち、管理情報の一例としてのＶＭＧ１１０と、実体情報の一例としてのＶＴＳ＃ｉ１１１と、その他の領域１１２とを備えて構成されている。従って、図１６に示した再生動作に従って、バージョン（Ｖｅｒ）１．Ｘ準拠の既存のＤＶＤプレーヤによって、全てのタイトルを再生可能である。しかも、図１５に示した再生動作に従って、バージョン（Ｖｅｒ）２．０準拠のＤＶＤプレーヤの一例たる図１４に示した情報再生装置によっても、全てのタイトルを再生可能である。
【０１８０】
図１７のテーブル中の中段に示すように、バージョン（Ｖｅｒ）２．０準拠の新型のタイトルのみが記録された光ディスクは、ＶＭＧやＶＴＳを有しない。そして、ＶＭＧ２及びＶＴＳ２を有する。より具体的には、このような光ディスクは、図１８（ｂ）に示すデータ構造を有する。即ち、管理情報の一例としての“ＶＭＧ２”１２０と、実体情報の一例としてのＶＴＳ＃ｊ１２１と、その他の領域１２２とを備えて構成されている。従って、図１６に示した再生動作に従って、バージョン（Ｖｅｒ）１．Ｘ準拠の既存のＤＶＤプレーヤによって、いずれのタイトルも、再生不可能である。他方で、図１５に示した再生動作に従って、バージョン（Ｖｅｒ）２．０準拠のＤＶＤプレーヤの一例たる図１４に示した情報再生装置によって、全てのタイトルを再生可能である。
【０１８１】
図１７のテーブル中の下段に示すように、バージョン（Ｖｅｒ）１．Ｘ準拠の旧型のタイトルとバージョン（Ｖｅｒ）２．０準拠の新型のタイトルとの両者が記録された光ディスクは、ＶＭＧ及びＶＴＳ並びにＶＭＧ２及びＶＴＳ２を有する。より具体的には、このような光ディスクは、図１８（ｃ）に示すデータ構造を有する。即ち、第１管理情報の一例としての“ＶＭＧ”１１０と、第１実体情報の一例としてのＶＴＳ＃ｉ１１１と、第２管理情報の一例としての“ＶＭＧ２”１２０と、第２実体情報の一例としてのＶＴＳ＃ｊ１２１と、その他の領域１２２とを備えて構成されている。従って、図１６に示した再生動作に従って、バージョン（Ｖｅｒ）１．Ｘ準拠の既存のＤＶＤプレーヤによって、バージョン（Ｖｅｒ）１．Ｘ準拠の旧型のタイトルを再生可能であり、且つバージョン（Ｖｅｒ）２．０準拠の新型のタイトルを再生不可能である。他方で、図１５に示した再生動作に従って、バージョン（Ｖｅｒ）２．０準拠のＤＶＤプレーヤの一例たる図１４に示した情報再生装置によって、新旧を問わず、いずれのタイトルをも再生可能である。尚、図１８（ｃ）では、旧型のタイトルを再生する際における、“ＴＴ＿ＳＲＰＴ”１１５により各ＶＴＳ＃ｉ１１１が指定される様子、並びに旧型又は新型のタイトルを再生する際における、“ＴＴ＿ＳＲＰＴ２”１２５により各ＶＴＳ＃ｉ１１１又は各ＶＴＳ＃ｊ１２１が指定される様子が細線矢印によって示されている。更に、“ＴＴ＿ＳＲＰＴ”１１５及び“ＴＴ＿ＳＲＰＴ２”１２５におけるタイトル番号の順序が、下向きの太線矢印によって夫々示されている。
【０１８２】
以上図１４から図１８を参照して説明したように、本実施例の光ディスクによれば、例えばＭＰＥＧ２といった従来の圧縮符号化方式用の情報再生装置（即ち、既存のバージョン１．Ｘ準拠のＤＶＤプレーヤ）によっても、図１６に示した再生動作に従って、再生可能となる。特に、この場合、第２管理情報の一例たるＶＭＧ２や第２実体情報の一例たるＶＴＳ２＃ｊ１２１が記録されていても、これらは自動的に無視される。しかも、本実施例の光ディスクによれば、例えばＭＰＥＧ４といった、より進んだ高効率の圧縮符号化方式用の情報再生装置（即ち、図１４に示したバージョン１．Ｘ及びバージョン２．０対応のコンパチチブルのＤＶＤプレーヤ）によっても、図１５に示した再生動作に従って、再生可能となる。特に、この場合、第２管理情報の一例たるＶＭＧ２が記録されていれば、第１管理情報の一例たるＶＭＧを参照することなく、第２管理情報の一例たるＶＭＧ２を参照することで、第２実体情報の一例たるＶＴＳ２のみならず第１実体情報の一例たるＶＴＳをも再生可能となる。
【０１８３】
図１から図１３に示した光ディスク１００では、第１実体情報の一例たるＶＴＳ及び第１管理情報の一例たるＶＭＧについても記録されていたが、これらについては、記録されなくてもよい。例えば、一変形例として、光ディスクは、図１８（ｂ）に示したデータ構造を有してもよい。即ち、第２実体情報の一例たるＶＴＳ２及び第２管理情報の一例たるＶＭＧ２が記録されていれば、相応の効果が得られる。このような光ディスクであっても、上述の如く、図１４に示した情報再生装置によって、ＶＭＧ２を参照することで、ＶＴＳ２を問題なく再生できる。加えて、図１４に示した情報再生装置の構成においてビデオデコーダ８８がＭＰＥＧ２デコーダ８８ａを有さず且つＭＰＥＧ４デコーダ８８ｂを有するように構成されていても、このようなＶＭＧ２及びＶＴＳ２のみを有する光ディスクを問題なく再生できる。このような変形例を再生する際には、ＶＭＧ２中で、旧型のタイトルの総数を示すＶＴＳＮを参照することにより、例えば“総数＝０”という情報から、ＳＤ規格のタイトルなどが記録されていないことを迅速に識別できる。そして、ＳＤ規格のタイトルが記録されていないと識別した上で、例えばＨＤ規格である新型のタイトルの再生を適切に実行可能となる。この場合にも、図１４に示したコンパチブルの情報再生装置によって或いはＭＰＥＧ４専用の情報再生装置によって、“ＶＭＧ２”１２０を参照すれば、非常に効率的にＶＴＳ２＃ｊ１２１を再生可能となる。
【０１８４】
尚、上述の実施例では、情報記録媒体の一例として光ディスク１００及び情報再生装置の一例として光ディスク１００に係るプレーヤについて説明したが、本発明は、光ディスク及びそのプレーヤに限られるものではなく、他の高密度記録或いは高転送レート対応の各種情報記録媒体並びにそのプレーヤにも適用可能である。
【０１８５】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報再生装置及び方法、並びに、再生制御用のコンピュータプログラムもまた本発明の技術的範囲に含まれるものである。
【図面の簡単な説明】
【図１】本発明の情報記録媒体の一実施例である光ディスクの基本構造を示し、上側部分は複数のエリアを有する光ディスクの概略平面図であり、これに対応付けられる下側部分は、その径方向におけるエリア構造の図式的概念図である。
【図２】実施例に係る光ディスク上に記録されるデータ構造を模式的に示す概念図である。
【図３】図２に示したＶＭＧ（ビデオマネージャ）内におけるデータ構造の詳細を模式的に示す概念図である。
【図４】図３に示したＴＴ＿ＳＲＰＴ（タイトル・サーチポインタテーブル）内におけるデータ構造の詳細を模式的に示す概念図である。
【図５】図２に示したＶＴＳ（ビデオタイトルセット）内におけるデータ構造の詳細を模式的に示す概念図である。
【図６】図２に示したＶＭＧ２内におけるデータ構造の詳細を模式的に示す概念図である。
【図７】図６に示したＴＴ＿ＳＲＰＴ２内におけるデータ構造の詳細を模式的に示す概念図である。
【図８】図２に示したＶＴＳ２内におけるデータ構造の詳細を模式的に示す概念図である。
【図９】本実施例に係るタイトルの構成の一具体例を示すテーブルである。
【図１０】図９に示した具体例の場合の、ＴＴ＿ＳＲＰＴ内におけるデータ構造の詳細を模式的に示す概念図である。
【図１１】図９に示した具体例の場合の、ＴＴ＿ＳＲＰＴ２内におけるデータ構造の詳細を模式的に示す概念図である。
【図１２】本実施例に係るＶＯＢにおけるデータ構造（物理フォーマット）を概念的に示したものである。
【図１３】本実施例に係る光ディスクにおける論理構造（論理フォーマット）を概念的に示したものである。
【図１４】情報再生装置の実施例のブロック図である。
【図１５】実施例に係る情報再生装置の再生動作を示すフローチャートである。
【図１６】実施例に係る他の情報再生装置の再生動作を示すフローチャートである。
【図１７】実施例において、各種ディスクを各種プレーヤによって再生する際に、再生可能な組合せを示すテーブルである。
【図１８】本実施例で再生可能な各種光ディスクの具体例におけるデータ構造を夫々示す概念図である。
【符号の説明】
８８  ビデオデコーダ
８８ａ  ＭＰＥＧ２デコーダ
８８ｂ  ＭＰＥＧ４デコーダ
１００  光ディスク
１０１  ファイルシステム
１１０  ＶＭＧ
１１１  ＶＴＳ＃ｉ
１１５  ＴＴ＿ＳＲＰＴ
１２０  ＶＭＧ２
１２１  ＶＴＳ＃ｊ
１２５  ＴＴ＿ＳＲＰＴ２
２００  システムコントローラ
【図１】
2004187051.tif 000003
【図２】
2004187051.tif 000004
【図３】
2004187051.tif 000005
【図４】
2004187051.tif 000006
【図５】
2004187051.tif 000007
【図６】
2004187051.tif 000008
【図７】
2004187051.tif 000009
【図８】
2004187051.tif 000010
【図９】
2004187051.tif 000011
【図１０】
2004187051.tif 000012
【図１１】
2004187051.tif 000013
【図１２】
2004187051.tif 000014
【図１３】
2004187051.tif 000015
【図１４】
2004187051.tif 000016
【図１５】
2004187051.tif 000017
【図１６】
2004187051.tif 000018
【図１７】
2004187051.tif 000019
【図１８】
2004187051.tif 000020